(57)【要約】【課題】釣銭釣札機内に保持された金種毎の保持枚数を簡便に把握する。【解決手段】顧客が購入する商品を登録する登録装置と、釣銭釣札機を備えた複数の精算装置と、を含む商品販売データ処理システムであって、釣銭釣札機内に保持された金種毎の保持枚数情報を取得する保持枚数情報取得手段と、前記保持枚数情報取得手段によって取得された前記保持枚数情報に基づいて釣銭釣札機内に保持された金種毎の保持枚数を示した一覧を表示する表示手段と、を備える。【選択図】図１
2020119616.tif 000002
【特許請求の範囲】
【請求項１】
顧客が購入する商品を登録する登録装置と、釣銭釣札機を備えた複数の精算装置と、を含む商品販売データ処理システムであって、
釣銭釣札機内に保持された金種毎の保持枚数情報を取得する保持枚数情報取得手段と、
前記保持枚数情報取得手段によって取得された前記保持枚数情報に基づいて釣銭釣札機内に保持された金種毎の保持枚数を示した一覧を表示する表示手段と、
を備えることを特徴とする商品販売データ処理システム。
【請求項２】
予め設定された金種毎の釣銭ニアエンドの設定枚数情報と、前記保持枚数情報取得手段によって取得された前記保持枚数情報とに基づいて金種毎に釣銭ニアエンドであるか否かを判断する判断手段を備え、
前記表示手段は、
前記一覧において、前記判断手段によって釣銭ニアエンドであると判断された金種について、前記判断手段によって釣銭ニアエンドであると判断されなかった金種とは異なる表示態様で表示する
ことを特徴とする請求項１に記載の商品販売データ処理システム。
【請求項３】
前記表示手段は、
前記判断手段によって少なくとも１つの金種について釣銭ニアエンドであると判断された場合に警告メッセージを表示する
ことを特徴とする請求項２に記載の商品販売データ処理システム。
【請求項４】
予め設定された金種毎の釣銭ニアエンドの設定枚数情報と、前記保持枚数情報取得手段によって取得された前記保持枚数情報とに基づいて金種毎に釣銭ニアエンドであるか否かを判断する判断手段を備え、
前記表示手段は、
前記判断手段によって少なくとも１つの金種について釣銭ニアエンドであると判断された場合に警告メッセージを表示する
ことを特徴とする請求項１に記載の商品販売データ処理システム。
【請求項５】
店員による操作を受け付ける操作受付手段
を備え、
前記表示手段は、
前記操作受付手段が前記警告メッセージに対する操作を受け付けた場合に、前記一覧を表示する
ことを特徴とする請求項３又は請求項４に記載の商品販売データ処理システム。
【請求項６】
前記表示手段は、
精算装置毎に前記警告メッセージを表示可能であり、
前記操作受付手段が一の精算装置の前記警告メッセージに対する操作を受け付けた場合に、当該精算装置に関する前記一覧を表示する
ことを特徴とする請求項５に記載の商品販売データ処理システム。
【請求項７】
顧客が購入する商品を登録する登録装置と、釣銭釣札機を備えた複数の精算装置と、を含む商品販売データ処理システムにおける、貨幣の監視方法であって、
釣銭釣札機内に保持された金種毎の保持枚数情報を取得する保持枚数情報取得ステップと、
前記保持枚数情報取得ステップによって取得された前記保持枚数情報に基づいて釣銭釣札機内に保持された金種毎の保持枚数を示した一覧を表示する表示ステップと、
を有することを特徴とする監視方法。
【発明の詳細な説明】
【技術分野】
【０００１】
本発明は、商品販売データ処理システム及び監視方法に関する。
【背景技術】
【０００２】
従来、売り場にいる店員（オペレータ）は、ＰＯＳレジスタの釣銭釣札機（単に釣銭機とも称する。特許文献１参照）における釣銭の補充の要否を当該ＰＯＳレジスタや監視装置などの監視機能を利用して監視し、釣銭の補充が必要な場合には、事務所や出納室等に予め用意した準備金のなかから必要な金種（貨幣種）の貨幣を必要な枚数分持ち出し、補充を要する釣銭釣札機に入金（補充）させるというような作業を行なっていた。
【先行技術文献】
【特許文献】
【０００３】
【特許文献１】特開２０１１−１１３５３２号公報
【発明の概要】
【発明が解決しようとする課題】
【０００４】
しかしながら、釣銭釣札機内に保持された金種毎の保持枚数を把握するのは容易ではなく面倒で負担となっていた。
【課題を解決するための手段】
【０００５】
上述した課題を解決するために、本発明の一態様に係る商品販売データ処理システムは、顧客が購入する商品を登録する登録装置と、釣銭釣札機を備えた複数の精算装置と、を含む商品販売データ処理システムであって、釣銭釣札機内に保持された金種毎の保持枚数情報を取得する保持枚数情報取得手段と、前記保持枚数情報取得手段によって取得された前記保持枚数情報に基づいて釣銭釣札機内に保持された金種毎の保持枚数を示した一覧を表示する表示手段と、を備える。
【図面の簡単な説明】
【０００６】
【図１】本発明の一実施形態によるＰＯＳシステム１の構成図の一例である。
【図２】ＰＯＳシステム１に含まれるＰＯＳレジスタ２の外観正面図及び側面図の一例である。
【図３】ＰＯＳシステム１に含まれるＰＯＳレジスタ２の電気回路の構成を示すブロック図の一例である。
【図４】出金伝票等の一例である。
【図５】入金伝票の一例である。
【図６】出金伝票、入金伝票に印刷されるコード情報の内容を説明するための説明図である。
【図７】ＰＯＳレジスタ２の動作の一例を示すフローチャートである。
【図８】ＰＯＳレジスタ２の動作の一例を示すフローチャートである。
【図９】ＰＯＳレジスタ２の動作の一例を示すフローチャートである。
【図１０】ＰＯＳレジスタ２の動作の一例を示すフローチャートである。
【図１１】ＰＯＳシステム１の動作の一例を示すフローチャートである。
【図１２】ＰＯＳシステム１の動作の一例を示すフローチャートである。
【図１３】監視装置４を含むＰＯＳシステム１の適用例（使用例）である。
【図１４】監視画面の一例である。
【図１５】各種の設定枚数、各精算機の現保持枚数の一例である。
【図１６】補充金の取得先を選択するための選択画面の一例である。
【図１７】貨幣の移動の状況等を確認するための確認画面の一例である。
【図１８】入金先を選択するための選択画面の一例である。
【図１９】操作者の認証について説明する説明図である。
【図２０】指示レシートの一例である。
【図２１】指示レシートを発行した後の流れを説明する説明図である。
【図２２】指示レシートを発行した後の流れを説明する説明図である。
【図２３】指示レシートを発行した後の流れを説明する説明図である。
【図２４】釣銭ニアエンド時の動作の一例を示すフローチャートである。
【図２５】出金時の動作の一例を示すフローチャートである。
【図２６】入金時の動作の一例を示すフローチャートである。
【図２７】補充設定の変更について説明する説明図である。
【図２８】補充金の取得先を選択するための選択画面の一例である。
【図２９】貨幣の移動の状況等を確認するための確認画面の一例である。
【発明を実施するための形態】
【０００７】
以下、本発明の一実施形態を、図面を参照して説明する。図１は、本発明の一実施形態によるＰＯＳシステム１の構成図の一例である。ＰＯＳシステム１は、図１に示すように、Ｎ台のＰＯＳレジスタ２−１、ＰＯＳレジスタ２−２、…、ＰＯＳレジスタ２−Ｎと、ストアコントローラ３とを含む。各装置は、ＬＡＮ（Ｌｏｃａｌ  Ａｒｅａ  Ｎｅｔｗｏｒｋ）を介して接続されている。また、ＬＡＮ上には、他の装置を監視する監視装置（アシストモニタ、管理装置とも称する）４が接続されていてもよい。以下、ＰＯＳレジスタ２−１、ＰＯＳレジスタ２−２、…、ＰＯＳレジスタ２−Ｎの夫々を特に区別しない場合にはＰＯＳレジスタ２と総称する。
【０００８】
ストアコントローラ３は、ＰＯＳシステム１を制御するコンピュータ（例えば、サーバ）である。ストアコントローラ３は、例えば、商品マスタを記憶する。商品マスタは、各商品の商品識別情報（例えばＪＡＮコード）、商品名称、販売価格などの商品情報を格納（保持）するファイルである。ストアコントローラ３は、管理装置、上位装置とも称される。
【０００９】
ＰＯＳレジスタ２は、主に、購入される商品の登録を行う登録処理と、主に、登録された商品の代金決済を行う会計処理（精算処理、決済処理とも称する）とを実行するための装置である。即ち、ＰＯＳレジスタ２は、主に登録処理を行う登録装置の機能と主に会計処理を行う会計装置の機能とを兼ね備えた装置である。
【００１０】
図２は、ＰＯＳシステム１に含まれるＰＯＳレジスタ２の外観正面図及び側面図の一例である。図３は、ＰＯＳシステム１に含まれるＰＯＳレジスタ２の電気回路の構成を示すブロック図の一例である。図３において、符号１１はＰＯＳレジスタ２の全体を制御するＣＰＵ（中央演算装置）であり、図示するように他の構成要素それぞれと接続されている。ＣＰＵ１１の動作の詳細は後述する。
【００１１】
図３において、符号１２は、種々の情報を記憶するＲＯＭ（Ｒｅａｄ  Ｏｎｌｙ  Ｍｅｍｏｒｙ）である。ＲＯＭ１２は、例えば、ＣＰＵ１１が実行するプログラムを記憶する。符号１３は、種々の情報を記憶するＲＡＭ（Ｒａｎｄｏｍ  Ａｃｃｅｓｓ  Ｍｅｍｏｒｙ）である。ＲＡＭ１３は、例えば、ＣＰＵ１１によってＲＯＭ１２から読み出された情報（例えば、上記プログラム）、ＣＰＵ１１によって処理された情報等を記憶する。符号２２は、種々の情報を記憶するハードディスクである。ハードディスク２２は、例えば、ストアコントローラ３から取得した情報（例えば、商品マスタ）、ＣＰＵ１１によって処理された情報等を記憶する。
【００１２】
図２及び図３において、符号１４は、ＣＰＵ１１の制御に従って店員向けに情報を表示する表示部として機能するほか、店員から入力操作を受け付ける操作部として機能する店員用表示部（タッチパネル）である。符号１５は、商品登録の完了入力や会計時においてお客から受け取った預かり金額などの数字データ入力等を行うための操作部である。符号１６は、ＣＰＵ１１の制御に従ってお客向けに情報を表示する客用表示部である。
【００１３】
図２及び図３において、符号１７は、貨幣（金銭）が収納される収納部３０（図３において非図示）の入出金を制御する自動釣銭釣札機である。ＰＯＳレジスタ２と自動釣銭釣札機１７との関係について、図２、図３に示す例では、自動釣銭釣札機１７はＰＯＳレジスタ２に内蔵されているが、自動釣銭釣札機１７はＰＯＳレジスタ２に接続されていてもよい。なお、ＰＯＳレジスタ２と自動釣銭釣札機１７との関係について、ＰＯＳレジスタ２に内蔵された自動釣銭釣札機１７とＰＯＳレジスタ２に接続されている自動釣銭釣札機１７とを特に区別しない場合には、ともに、ＰＯＳレジスタ２の自動釣銭釣札機１７とも称する。また、自動釣銭釣札機１７を内蔵するＰＯＳレジスタ２と自動釣銭釣札機１７を接続しているＰＯＳレジスタ２とを特に区別しない場合には、ともに、自動釣銭釣札機１７を内蔵等するＰＯＳレジスタ２とも称する。
【００１４】
自動釣銭釣札機１７は、ＰＯＳレジスタ２において、登録された商品の代金を現金にて決済するときに使用される。自動釣銭釣札機１７は、貨幣（紙幣）を投入するための紙幣投入口（非図示）、貨幣（硬貨）を投入するための硬貨投入口（図２の符号１７ｂ）、貨幣（紙幣）を放出するための紙幣放出口（非図示）、貨幣（硬貨）を放出するための硬貨放出口（図２の符号１７ａ）、投入又は放出される貨幣を計数する計数部（非図示）、投入口又は放出口と収納部３０の間の貨幣の搬送機構（非図示）などを有する。なお、紙幣投入口及び硬貨投入口は、預り金投入口とも称される。紙幣放出口及び硬貨放出口は、釣銭放出口とも称される。なお、紙幣投入口と紙幣放出口は共通であってもよく、また、硬貨投入口と硬貨放出口は共通であってもよい。
【００１５】
ＣＰＵ１１の制御に従って、自動釣銭釣札機１７は、釣銭投入された貨幣（例えば、会計時に預かった貨幣、補充時に補充された貨幣）を計数し、収納部３０に収納する。また、自動釣銭釣札機１７は、放出する貨幣（例えば、会計時に釣り銭とする貨幣、又は、補充時に出金する貨幣）を計数し、釣銭放出口から放出する。
【００１６】
また、自動釣銭釣札機１７は、ＣＰＵ１１の制御に従って、金種毎の残置枚数（収納枚数）を管理する。具体的には、自動釣銭釣札機１７は、金種毎の残置枚数に関する最新情報（以下、釣銭残置情報という）を管理する。例えば、自動釣銭釣札機１７は、貨幣投入時には、金種毎の投入枚数（入金枚数）に基づいて金種毎の残置枚数に関する情報を更新（加算）し、貨幣放出時には、金種毎の放出枚数（出金枚数）に基づいて金種毎の残置枚数に関する情報を更新（減算）する。また、自動釣銭釣札機１７は、貨幣の投入、放出に際し、金種毎の投入枚数などの情報を含む入金履歴情報と、金種毎の放出枚数などの情報を含む出金履歴情報とを記憶する。なお、ＰＯＳレジスタ２が自動釣銭釣札機１７より金種毎の残置枚数（収納枚数）、金種毎の残置枚数に関する最新情報、入金履歴情報、出金履歴情報などを一取引毎に受信して記憶し管理するようにしてもよい。
【００１７】
なお、金種毎の残置枚数に関する最新情報（釣銭残置情報）、入金履歴情報、出金履歴情報は、自動釣銭釣札機１７の内部（例えば、自動釣銭釣札機１７が備える記憶領域（非図示））に記憶してもよいし、自動釣銭釣札機１７の外部（例えば、ハードディスク２２）に記憶してもよい。
【００１８】
図３において、符号１８は、コード情報（バーコード）を読み取るスキャナ部である。スキャナ部１８は、読み取ったデータをＣＰＵ１１へ供給する。例えば、スキャナ部１８は、商品に貼付されたコード情報（例えば、ＪＡＮコード）を読み取り、そのデータをＣＰＵ１１へ供給する。また、スキャナ部１８は、出金伝票（釣銭出金伝票、出金指示レシートとも称する）や入金伝票（釣銭入金伝票、入金指示レシートとも称する）に印刷（記録）されたコード情報（例えば、Ｃｏｄｅ１２８、ＩＴＦｃｏｄｅ）を読み取り、そのデータをＣＰＵ１１へ供給する。なお、図２にはスキャナ部１８を示していないが、スキャナ部１８は、ＰＯＳレジスタ２の装置本体に有線で接続され、読み取ったデータを有線で装置本体に送信する構成としてもよいし、無線によって装置本体に接続され、読み取ったデータを装置本体に無線によって送信するような構成としてもよい。
【００１９】
図２及び図３において、符号１９は、ＣＰＵ１１の制御に従って印刷物を発行する印刷部である。例えば、印刷部１９は、会計処理の完了後、買上商品の明細情報等を印刷媒体に印刷してレシートとして発行する。また、印刷部１９は、貨幣を補充する際に、所望の金種、所望の枚数の貨幣を自動釣銭釣札機１７に出金させるコード情報等を印刷媒体に印刷して出金伝票として発行し、あるいは、所望の金種、所望の枚数の貨幣を自動釣銭釣札機１７に入金させるコード情報等を印刷媒体に印刷して入金伝票として発行する。
【００２０】
図３において、符号２０は、ＣＰＵ１１の制御に従ってＬＡＮを介して外部と通信する通信部である。例えば、通信部２０は、適宜、ストアコントローラ３から商品マスタを受信する。また、通信部２０は、会計処理の完了後、ストアコントローラ３に取引情報を送信する。
【００２１】
また、通信部２０は、当該ＰＯＳレジスタ２（自装置）の自動釣銭釣札機１７の貨幣（釣り銭）がゼロに近い枚数である旨（即ち、釣銭ニアエンドである旨）を報知する情報（以下、釣銭ニアエンド情報という）を他のＰＯＳレジスタ２（他装置）に送信する。
【００２２】
また、通信部２０は、自動釣銭釣札機１７の釣銭残置情報を要求する旨の命令（以下、釣銭残置情報要求という）を他のＰＯＳレジスタ２に送信する。また、通信部２０は、他のＰＯＳレジスタ２からの釣銭残置情報要求の応答として、当該ＰＯＳレジスタ２の自動釣銭釣札機１７の釣銭残置情報を要求元の他のＰＯＳレジスタ２に送信する。
【００２３】
なお、ＰＯＳレジスタ２は、ＬＡＮを介して外部と通信する通信部２０に加えて、近距離無線通信（例えば、ブルートゥース（登録商標）、ＲＦＩＤ、赤外線通信）によって外部と通信する通信部（非図示）を備える。
【００２４】
図３において、符号２１はＣＰＵ１１の制御に従って撮像する撮像部（カメラ）である。例えば、撮像部２１は、当該ＰＯＳレジスタ２を操作する店員、当該ＰＯＳレジスタ２による商品の登録や会計を受けているお客を撮像する。また、撮像部２１は、出金伝票や入金伝票に印刷（記録）されたコード情報（例えば、二次元バーコード、例えば、ＱＲコード（登録商標））を読み取り、そのデータをＣＰＵ１１へ供給してもよい。なお、図２には撮像部２１を示していないが、撮像部２１は、ＰＯＳレジスタ２の装置本体に有線で接続され、撮像画像を有線で装置本体に送信する構成としてもよいし、無線によって装置本体に接続され、撮像画像を装置本体に無線によって送信するような構成としてもよい。
【００２５】
以下、ＰＯＳレジスタ２のＣＰＵ１１の動作について説明する。
ＣＰＵ１１は、店員の操作に応じて登録処理及び会計処理を実行する。例えば、ＣＰＵ１１は、店員がスキャナ部１８によって商品に貼付された商品コードを読み取った場合、又は、店員用表示部１４に表示されているプリセットボタンを操作した場合、お客の購入する商品を登録する。続いて、ＣＰＵ１１は、店員が操作部１５の所定キー（例えば、小計キーなど）を押下した場合、合計金額（客への請求金額）等を店員用表示部１４及び客用表示部１６に表示させる。
【００２６】
続いて、ＣＰＵ１１は、店員がお客からの預かり金を預り金投入口に投入し、操作部１５の所定キー（例えば、締めキー（現計キー）、終了キー、お会計キー）が押下されると、自動釣銭釣札機１７に、投入された貨幣の計数を実行させる。自動釣銭釣札機１７は、金種毎に投入された貨幣を計数する。ＣＰＵ１１は、計数結果（投入金額）を自動釣銭釣札機１７から取得し、登録された商品の合計金額と投入金額とを比較する。
【００２７】
ＣＰＵ１１は、登録された商品の合計金額と投入金額とが一致する場合、店員用表示部１４及び客用表示部１６に合計金額と投入金額とお釣りが無い旨を表示させる。また、ＣＰＵ１１は、自動釣銭釣札機１７に、投入された貨幣を収納させる。自動釣銭釣札機１７は、投入された貨幣を収納し、ＣＰＵ１１は、金種毎の投入枚数に基づいて、記憶領域（又は、ハードディスク２２）に記憶されている、金種毎の残置枚数に関する最新情報（釣銭残置情報）を更新する。また、自動釣銭釣札機１７またはＣＰＵ１１は、金種毎の投入枚数などの情報を含む入金履歴情報を記憶する。なお、自動釣銭釣札機１７またはＣＰＵ１１は、登録処理及び会計処理による入金である旨の情報を含む入金履歴情報を記憶してもよい。また、ＣＰＵ１１は、印刷部１９に、店舗名、日時、操作者名、購入商品明細、合計金額、投入金額等を印刷したレシートを発行させる。また、ＣＰＵ１１は、通信部２０を介して、日時、当該ＰＯＳレジスタ２の装置番号、購入商品の商品コード等を含む取引情報をストアコントローラ３に送信する。なお、ＣＰＵ１１は、お釣りが無い旨（例えば、お釣り「０円」）を表示させてもよいし、お釣りが無い旨を印刷したレシートを発行させてもよい。
【００２８】
ＣＰＵ１１は、登録された商品の合計金額よりも投入金額が多い場合、釣銭金額を計算し、店員用表示部１４及び客用表示部１６に合計金額、投入金額及び釣銭金額を表示させる。また、ＣＰＵ１１は、自動釣銭釣札機１７に、投入された貨幣を収納させるとともに、釣り銭を放出させる。自動釣銭釣札機１７は、投入された貨幣を収納するとともに、金種毎に放出する貨幣を計数し、釣銭放出口から釣り銭として放出する。自動釣銭釣札機１７が釣銭を放出した後、ＣＰＵ１１は、金種毎の投入枚数及び放出枚数に基づいて、記憶領域（又は、ハードディスク２２）に記憶されている、金種毎の残置枚数に関する最新情報（釣銭残置情報）を更新する。また、自動釣銭釣札機１７またはＣＰＵ１１は、金種毎の投入枚数などの情報を含む入金履歴情報と、金種毎の放出枚数などの情報を含む出金履歴情報とを記憶する。なお、自動釣銭釣札機１７またはＣＰＵ１１は、登録処理及び会計処理による入金である旨の情報を含む入金履歴情報を記憶してもよい。また、なお、自動釣銭釣札機１７またはＣＰＵ１１は、登録処理及び会計処理による出金である旨の情報を含む出金履歴情報を記憶してもよい。また、ＣＰＵ１１は、印刷部１９に、店舗名、日時、操作者名、購入商品明細、合計金額、投入金額、釣銭金額等を印刷したレシートを発行させる。また、ＣＰＵ１１は、通信部２０を介して、日時、当該ＰＯＳレジスタ２の装置番号、購入商品の商品コード等を含む取引情報をストアコントローラ３に送信する。
【００２９】
ＣＰＵ１１は、登録された商品の合計金額よりも投入金額が少ない場合、お客からの預かり金が不足している旨を表示させる。ＣＰＵ１１は、店員が不足する追加の預かり金を預り金投入口に投入し、操作部１５の所定キー（例えば、締めキー（現計キー）、終了キー、お会計キー）が押下されると、自動釣銭釣札機１７に、上記と同様に、投入された貨幣の計数を実行させる。
【００３０】
また、ＣＰＵ１１は、釣銭ニアエンドであるか否かを判断する。つまり、ＰＯＳレジスタ２は上述の如く自動釣銭釣札機１７を内蔵している場合と内蔵していない場合とがあるが、何れの場合においても、自動釣銭釣札機１７が釣銭ニアエンドであるか否かを、当該ＰＯＳレジスタ２のＣＰＵ１１が判断する。例えば、ＣＰＵ１１は、金種毎の残置枚数に関する情報を参照し、残置枚数が基準枚数（釣銭ニアエンドの判断用の基準枚数）未満であるときは、釣銭ニアエンドであると判断する。なお、釣銭ニアエンドの判断用の基準枚数は、金種毎に設定しておいてもよい。また、釣銭ニアエンドの判断用の基準枚数は、ＰＯＳレジスタ２別に金種毎に設定しておいてもよい。ＣＰＵ１１は、釣銭ニアエンドであるときは、釣銭ニアエンド情報を他のＰＯＳレジスタ２に送信するように制御する。
【００３１】
より詳細には、ＣＰＵ１１は、釣銭ニアエンドである金種毎の現枚数情報を含む釣銭ニアエンド情報を送信するように制御してもよいし、釣銭ニアエンドである金種毎の要補充枚数情報を含む釣銭ニアエンド情報を送信するように制御してもよい。釣銭ニアエンドである金種毎の要補充枚数情報を含む釣銭ニアエンド情報を送信する態様の場合、金種毎に十分な枚数（十分枚数）を予め設定しておき、釣銭ニアエンドである金種毎に、十分枚数と現枚数との差を要補充枚数として計算し、他の装置に送信する釣銭ニアエンド情報に含めるようにしてもよい。なお、釣銭ニアエンド情報の送信先は、ＰＯＳシステム１に存在する全部の他装置であってもよいし、予め設定した１以上の他装置であってもよい。
【００３２】
また、ＣＰＵ１１は、通信部２０を介して、他のＰＯＳレジスタ２から釣銭ニアエンド情報を受信した場合、釣銭ニアエンドとなっている他のＰＯＳレジスタ２が存在している旨の警告情報を店員用表示部１４に表示させる。
【００３３】
また、ＣＰＵ１１は、他のＰＯＳレジスタ２が釣銭ニアエンドとなっている場合（具体的には、他のＰＯＳレジスタ２から釣銭ニアエンド情報を受信した場合）、釣銭ニアエンドとなっている他のＰＯＳレジスタ２に貨幣を補充するために釣銭ニアエンドとなっている他のＰＯＳレジスタ２以外の他のＰＯＳレジスタ２から貨幣を出金させる際に用いる出金伝票を印刷部１９より印刷、発行するように制御する。
【００３４】
具体的には、ＣＰＵ１１は、釣銭ニアエンド情報を受信した場合、当該ＰＯＳレジスタ２の自動釣銭釣札機１７の釣銭残置情報と、釣銭ニアエンドとなっている他のＰＯＳレジスタ２以外の他のＰＯＳレジスタ２の自動釣銭釣札機１７の釣銭残置情報とに基づいて、釣銭ニアエンドとなっている金種毎の要補充枚数分の貨幣を出金可能な１台以上のＰＯＳレジスタ２を選択する。
【００３５】
なお、ＣＰＵ１１は、釣銭ニアエンドとなっている他のＰＯＳレジスタ２以外の他のＰＯＳレジスタ２の夫々に釣銭残置情報要求を送信し、釣銭ニアエンドとなっている他のＰＯＳレジスタ２以外の他のＰＯＳレジスタ２の夫々から夫々の釣銭残置情報を受信する。換言すれば、ＣＰＵ１１は、他のＰＯＳレジスタ２から釣銭残置情報要求を受信した場合には、当該ＰＯＳレジスタ２の自動釣銭釣札機１７の釣銭残置情報を釣銭残置情報要求の応答として、要求元の他のＰＯＳレジスタ２に送信する。
【００３６】
以下、具体例を用いて、１台以上のＰＯＳレジスタ２の選択方法を説明する。当該具体例として、ＰＯＳレジスタ２−２は、千円札については１５枚迄出金可能、五千円札については８枚迄出金可能であるものとする。ＰＯＳレジスタ２−３は、千円札については８枚枚迄出金可能、五千円札については１５枚迄出金可能であるものとする。ＰＯＳレジスタ２−４は、千円札については３枚迄出金可能、五千円札については１０枚迄出金可能であるものとする。なお、出金可能な枚数は、現在の残置枚数と基準枚数（出金可能枚数の計算用の基準枚数。残置基準枚数ともいう）とから計算する。出金可能枚数の計算用の基準枚数（残置基準枚数）は、金種毎に設定しておいてもよい。また、出金可能枚数の計算用の基準枚数（残置基準枚数）は、ＰＯＳレジスタ２別に金種毎に設定しておいてもよい。
【００３７】
（選択方法１／最小限の装置を選択）
例えば、ＰＯＳレジスタ２−２（自装置）が、ＰＯＳレジスタ２−１（他装置）から釣銭ニアエンド情報（千円札１０枚と五千円札５枚とを要補充）を受信した場合、最小限のＰＯＳレジスタ２を選択（台数が最小になるようにＰＯＳレジスタ２を選択）するべく、ＣＰＵ１１は、ＰＯＳレジスタ２−２を選択するようにしてもよい。当該場合、ＰＯＳレジスタ２−２の１台から千円札１０枚と五千円５枚を出金する。
【００３８】
（選択方法２／各金種について最も放出できる枚数に余裕がある装置を選択）
例えば、ＰＯＳレジスタ２−２（自装置）が、ＰＯＳレジスタ２−１（他装置）から釣銭ニアエンド情報（千円札１０枚と五千円札５枚とを要補充）を受信した場合、各金種について最も放出できる枚数に余裕がある装置を選択するべく、ＣＰＵ１１は、ＰＯＳレジスタ２−２とＰＯＳレジスタ２−３とを選択するようにしてもよい。当該場合、ＰＯＳレジスタ２−２から千円札１０枚を出金し、ＰＯＳレジスタ２−３から五千円５枚を出金する。
【００３９】
出金可能なＰＯＳレジスタ２を選択した後に、ＣＰＵ１１は、選択したＰＯＳレジスタ２に読み取らせる出金伝票（２台以上のＰＯＳレジスタ２を選択した場合には選択した夫々のＰＯＳレジスタ２に読み取らせる夫々の出金伝票）を印刷、発行するように制御する。出金伝票には、当該出金伝票を読み取らせるＰＯＳレジスタ２の装置番号などを視認可能（機械によらず読解可能）に印刷（例えば、文字にて印刷）するとともに、金種毎の放出枚数（出金枚数）などをコード化したコード情報を印刷する。また、ＣＰＵ１１は、出金伝票とともに他の伝票（例えば、後述の補充レジ情報レシート）を印刷、発行するように制御してもよい。
【００４０】
ＣＰＵ１１は、スキャナ部１８（又は撮像部２１）によって出金伝票が読み取られた場合（即ち、出金伝票に印刷されたコード情報が読み取られた場合）、コード化されていた装置番号に基づいて、読み取られた出金伝票が自装置を対象とするものであるか否かを判断する。ＣＰＵ１１は、読み取られた出金伝票が自装置を対象とするものであるときは、出金伝票にコード化されていた金種毎の放出枚数に基づいて、自動釣銭釣札機１７に出金処理を実行させる。また、ＣＰＵ１１は、金種毎の放出枚数や、出金伝票による出金である旨の情報を含む出金履歴情報を記憶する。また、ＣＰＵ１１は、釣銭ニアエンドに起因する出金（他の装置への補充するための出金）である旨の情報を含む出金履歴情報を記憶してもよい。
【００４１】
また、出金処理を実行させた後に、ＣＰＵ１１は、釣銭ニアエンドとなっている他のＰＯＳレジスタ２に読み取らせる入金伝票を印刷、発行するように制御する。入金伝票には、当該入金伝票を読み取らせるＰＯＳレジスタ２の装置番号などを視認可能（機械によらず読解可能）に印刷するとともに、金種毎の投入枚数（入金枚数）などをコード化したコード情報を印刷する。なお、当該ＰＯＳレジスタ２にて放出（出金）した貨幣は、他のＰＯＳレジスタ２に投入（入金）されるものであるから、当該ＰＯＳレジスタ２にて放出（出金）した金種毎の放出枚数（出金枚数）と、入金伝票にコード化される金種毎の投入枚数（入金枚数）とは一致する。
【００４２】
ＣＰＵ１１は、スキャナ部１８（又は撮像部２１）によって入金伝票が読み取られた場合（即ち、入金伝票に印刷されたコード情報が読み取られた場合）、コード化されていた装置番号に基づいて、読み取られた入金伝票が自装置を対象とするものであるか否かを判断する。ＣＰＵ１１は、読み取られた入金伝票が自装置を対象とするものであるときは、預り金投入口への貨幣の投入を受け付ける。ＣＰＵ１１は、貨幣の投入後、投入された金種と枚数とが、入金伝票にコード化されていた金種毎の投入枚数と一致するか否かを判断する。ＣＰＵ１１は、一致した場合には、自動釣銭釣札機１７に入金処理を実行させる（投入貨幣を収納（入金）させる）。また、ＣＰＵ１１は、金種毎の投入枚数や、入金伝票による入金である旨の情報を含む入金履歴情報を記憶する。また、ＣＰＵ１１は、釣銭ニアエンドに起因する入金（釣銭ニアエンドの解消のため他の装置から出金された貨幣の入金）である旨の情報を含む入金履歴情報を記憶してもよい。
【００４３】
図４は、出金伝票等の一例である。ＰＯＳレジスタ２は、出金可能なＰＯＳレジスタ２を選択した後に、図４（ａ）に示すように、他の伝票（補充レジ情報レシート）とともに出金伝票（出金指示レシート）を発行してもよい。例えば、図４（ａ）の如く、簡便にあるいは上手に、互いに分離可能な状態（例えば、ミシン目が入れられた状態やハーフカットされた状態）で出金指示レシートと補充レジ情報レシートとを繋げて発行してもよい。
【００４４】
ＰＯＳレジスタ２は、２台以上のＰＯＳレジスタ２を選択した場合に、出金指示レシート及び補充レジ情報レシートの組を、台数分、印刷、発行する。例えば、ＰＯＳレジスタ２は、３台のＰＯＳレジスタ２を選択した場合には、出金指示レシート及び補充レジ情報レシートを３組（即ち、３枚の出金指示レシートと３枚の補充レジ情報レシート）を印刷、発行する。なお、ＰＯＳレジスタ２は、２台以上のＰＯＳレジスタ２を選択した場合に、上記に代えて、台数分の出金指示レシートと、台数分の情報を纏めた１枚の補充レジ情報レシートとを印刷、発行してもよい。例えば、ＰＯＳレジスタ２は、３台のＰＯＳレジスタ２を選択した場合には、３枚の出金指示レシートと１枚の補充レジ情報レシートとを印刷、発行してもよい。
【００４５】
図４（ｃ）に示す出金指示レシートには、文字として、発行日付、操作者情報（従業員ＩＤ、氏名）、補充先ＰＯＳレジスタ２（釣銭ニアエンドが発生したＰＯＳレジスタ２）の装置番号、充当ＰＯＳレジスタ２（当該出金伝票を読み取らせて貨幣を出金させるＰＯＳレジスタ２）の装置番号、不足金種（即ち、出金金種）、不足枚数（即ち、放出枚数）、出金を指示するメッセージなどが印刷されている。
【００４６】
また、図４（ｃ）に示す出金指示レシートには、出金指示情報を記録（コード化）したＣｏｄｅ１２８が印刷されている。出金指示情報には、充当ＰＯＳレジスタ２の装置番号や、金種毎の不足枚数が含まれている。また、Ｃｏｄｅ１２８として記録する出金指示情報には、当該伝票が、出金指示レシート（出金伝票）であるか入金指示レシート（入金伝票）であるかを識別する情報が含まれていてもよい。出金指示レシートであるか入金指示レシートであるかを識別する情報は、出金履歴情報や入金履歴情報に、出金伝票による出金である旨や入金伝票による入金である旨を記憶する場合などに参照される。また、Ｃｏｄｅ１２８として記録する出金指示情報には、当該出金指示レシート（出金伝票）が、釣銭ニアエンドに起因して発行されたものであるか釣銭ニアフル（後述）に起因して発行されたものであるかを識別する情報が含まれていてもよい。出金指示レシートが釣銭ニアエンドに起因して発行されたものであるか釣銭ニアフルに起因して発行されたものであるかを識別する情報は、出金履歴情報に、釣銭ニアエンドに起因する出金である旨や釣銭ニアフルに起因する出金である旨を記憶する場合などに参照される。
【００４７】
図４（ｂ）に示す補充レジ情報レシートには、文字として、発行日付、操作者情報、釣銭ニアエンドが発生したＰＯＳレジスタ２（補充先ＰＯＳレジスタ２）の装置番号、充当ＰＯＳレジスタ２の装置番号、不足金種、不足枚数などが印刷されている。なお、２台以上の充当ＰＯＳレジスタ２が選択された場合であって、台数分の情報を纏めた１枚の補充レジ情報レシートを印刷、発行する場合には、例えば、充当ＰＯＳレジスタ２毎に、不足金種、不足枚数を印刷すればよい。
【００４８】
なお、ＰＯＳレジスタ２は、図４（ｃ）に示すような出金指示レシートに代えて図４（ｄ）に示すような出金指示レシートを印刷、発行してもよい。図４（ｄ）に示す出金指示レシートには、出金指示情報を記録（コード化）したＣｏｄｅ１２８に代えて、出金指示情報を記録（コード）した二次元バーコードが印刷されている。
【００４９】
図５は、入金伝票の一例である。ＰＯＳレジスタ２は、出金処理を実行した後に、図５（ａ）に示すような入金伝票（入金指示レシート）を印刷、発行する。図５（ｂ）に示す入金指示レシートには、文字として、発行日付、操作者情報、充当ＰＯＳレジスタ２（貨幣を出金した当該ＰＯＳレジスタ２）の装置番号、補充先ＰＯＳレジスタ２（釣銭ニアエンドが発生したＰＯＳレジスタ２、即ち、当該入金伝票を読み取らせて貨幣を入金させるＰＯＳレジスタ２）の装置番号、金種（即ち、投入金種）、枚数（即ち、投入枚数）、入金を指示するメッセージなどが印刷されている。
【００５０】
また、図５（ｂ）に示す入金指示レシートには、入金指示情報を記録（コード化）したＣｏｄｅ１２８が印刷されている。入金指示情報には、補充先ＰＯＳレジスタ２の装置番号や、金種毎の枚数が含まれている。また、Ｃｏｄｅ１２８として記録する入金指示情報には、上記に加え、当該伝票が、出金指示レシート（出金伝票）であるか入金指示レシート（入金伝票）であるかを識別する情報が含まれていてもよい。出金指示レシートであるか入金指示レシートであるかを識別する情報は、出金履歴情報や入金履歴情報に、出金伝票による出金である旨や入金伝票による入金である旨を記憶する場合などに参照される。また、Ｃｏｄｅ１２８として記録する入金指示情報には、当該入金指示レシート（入金伝票）が、釣銭ニアエンドに起因して発行されたものであるか釣銭ニアフル（後述）に起因して発行されたものであるかを識別する情報が含まれていてもよい。入金指示レシートが釣銭ニアエンドに起因して発行されたものであるか釣銭ニアフルに起因して発行されたものであるかを識別する情報は、入金履歴情報に、釣銭ニアエンドに起因する入金である旨や釣銭ニアフルに起因する入金である旨を記憶する場合などに参照される。
【００５１】
なお、ＰＯＳレジスタ２は、図５（ｂ）に示すような入金指示レシートに代えて図５（ｃ）に示すような入金指示レシートを印刷、発行してもよい。図５（ｃ）に示す入金指示レシートには、入金指示情報を記録（コード化）したＣｏｄｅ１２８に代えて、入金指示情報を記録（コード）した二次元バーコードが印刷されている。
【００５２】
図６は、出金伝票、入金伝票に印刷されるコード情報の内容を説明するための説明図である。具体的には、図６は、出金伝票、入金伝票にＣｏｄｅ１２８を印刷する態様において、Ｃｏｄｅ１２８にコード化される情報の一例を表している。図６において、先頭の「Ｆ」は、出金又は入金の処理区分（出金伝票であるか入金伝票であるかを識別する入出金フラグ）である。「ＮＮＮＮＮＮ」は、出金又は入金する装置を識別する装置識別情報（対象装置の装置番号）である。「ＭＭＭＭＭＭ」は、操作者を識別する操作者識別情報（従業員ＩＤ）である。「ＡＡＡ」は、五千円札の枚数である。「ＢＢＢ」は、千円札の枚数である。「ＣＣＣ」は、五百円玉の枚数である。「ＤＤＤ」は、百円玉の枚数である。「ＥＥＥ」は、五十円玉の枚数である。「ＦＦＦ」は、十円玉の枚数である。「ＧＧＧ」は、五円玉の枚数である。「ＨＨＨ」は、一円玉の枚数である。「ｃ／ｄ」は、チェックデジットである。なお、図６に記載する実施形態では、コード情報内に記憶する金種（貨幣種）に関する情報の構成（データフォーマット。例えば、各金種の記憶順番や、各金種の入出金枚数（入金又は出金の枚数）の記録位置（例えば、開始桁や桁数など））を取り決めておき、印刷または記録時には、上述の金種に関する情報の構成に基づいて、入出金の対象となる金種毎に夫々の入出金枚数を各金種の入出金枚数の記憶位置に埋め込むことによって、媒体に印刷または記録し、読取時には、読取手段（スキャナ部１８）によって読み取られたコード情報と、上述の金種に関する情報の構成とに基づいて、各金種の入出金の有無や入出金枚数を判断し（例えば、入出金枚数が記録された位置に対応する金種について当該入出金枚数の入出金がある旨を判断し）、各金種の入出金を制御しているが、上記に限らず、例えば、各金種を示す記号や符号と、入出金枚数とを組合わせ、入出金が必要な金種のみをコード情報にして、媒体に印刷または記録して、各金種の入出金を制御してもよい。
【００５３】
図７乃至図１０は、ＰＯＳレジスタ２の動作の一例を示すフローチャートである。図７に示すフローチャートは、釣銭の補充に関する処理における動作の一例を示している。図８に示すフローチャートは、図７に示すフローチャートの出金伝票の発行処理（ステップＳ１６）の詳細である。図９に示すフローチャートは、図７に示すフローチャートの出金処理（ステップＳ２６）の詳細である。図１０に示すフローチャートは、図７に示すフローチャートの入金処理（ステップＳ３０）の詳細である。なお、図７に示すフローチャートは、電源オンの状態において、例えば、取引間を含む、登録処理又は会計処理を実行していないときに、適宜（例えば周期的に）、開始する。図７乃至図１０に示すフローチャートの各ステップは、ＣＰＵ１１が実行又は制御する。
【００５４】
ステップＳ１０：自装置の自動釣銭釣札機１７が釣銭ニアエンドであるか否かを判断する。釣銭ニアエンドであればステップＳ１２に進み、釣銭ニアエンドでなければステップＳ１４に進む。
ステップＳ１２：釣銭ニアエンド情報を他装置に送信する。なお、釣銭ニアエンドである金種毎の現枚数情報を含む釣銭ニアエンド情報を他装置に送信してもよいし、釣銭ニアエンドである金種毎の要補充枚数情報を含む釣銭ニアエンド情報を他装置に送信してもよい。
【００５５】
ステップＳ１４：他装置から釣銭ニアエンド情報を受信したか否かを判断する。釣銭ニアエンド情報を受信していればステップＳ１６に進み、釣銭ニアエンド情報を受信していなければステップＳ１８に進む。
ステップＳ１６：出金伝票の発行処理を実行する。具体的には、図８に示したステップＳ１０１以下を実行する。
【００５６】
ステップＳ１０１：釣銭ニアエンドの装置が存在している旨の警告情報を店員用表示部１４に表示する。警告表示は、アイコン表示、ポップアップの文字表示などである。
ステップＳ１０２：上記警告に対し、所定のボタン（例えば、「釣銭情報取得」ボタン）が押下されたか否かを判断する。所定のボタンが押下されたときはステップＳ１０３に進み、所定のボタンが押下されていないときはステップＳ１０２に戻る。なお、他のボタン（例えば、「キャンセル」ボタン）などが押下された場合には、出金伝票の発行処理（ステップＳ１６）を抜けてステップＳ１８に進むようにしてもよい。また、ステップＳ１０２の処理自体を省略してもよい。
ステップＳ１０３：自装置の釣銭残置情報（金種毎の残置枚数に関する最新情報）を取得する。
ステップＳ１０４：釣銭ニアエンドとなっている他の装置以外の他の装置の夫々に釣銭残置情報要求を送信する。
ステップＳ１０５：釣銭ニアエンドとなっている他の装置以外の他の装置の夫々から釣銭残置情報を受信する。
ステップＳ１０６：釣銭ニアエンドの金種について残置基準枚数（出金可能枚数の計算用の基準枚数。即ち、残しておかなければいけない基準枚数）を越えて収納している装置の情報を店員用表示部１４に表示する。即ち、ステップＳ１０５にて受信した他の装置夫々の釣銭残置情報と、予め設定している残置基準枚数とを比較し、釣銭ニアエンドとなっている各金種について残置基準枚数を越えて収納している装置の情報を表示する。なお、表示出力に代えて、又は、加えて、上記装置の情報を印刷出力してもよい。
ステップＳ１０７：釣銭ニアエンドの装置における金種毎の要補充枚数を取得する。例えば、ステップＳ１４において受信したと判断した釣銭ニアエンド情報が、釣銭ニアエンドである金種毎の要補充枚数情報を含む場合には、当該釣銭ニアエンド情報から要補充枚数を取得する。ステップＳ１４において受信したと判断した釣銭ニアエンド情報が、釣銭ニアエンドである金種毎の現枚数情報を含む場合には、釣銭ニアエンドである金種毎に、予め設定している十分枚数と現枚数との差を要補充枚数として計算し、金種毎の要補充枚数を取得する。
ステップＳ１０８：ステップＳ１０７にて取得した金種毎の要補充枚数を表示する。なお、表示出力に代えて、又は、加えて、上記金種毎の要補充枚数を印刷出力してもよい。
ステップＳ１０９：金種毎の要補充枚数分の貨幣を出金可能な１台以上の装置（ＰＯＳレジスタ２）を選択する。例えば、ステップＳ１０３にて取得した自装置の釣銭残置情報と、ステップＳ１０５にて受信した他装置の釣銭残置情報とに基づいて、金種毎の要補充枚数分の貨幣を出金可能な最小限の装置を選択（台数が最小になるようにＰＯＳレジスタ２を選択）する。金種毎の要補充枚数分の貨幣を出金可能な最小限の装置に代えて、各金種について最も放出できる枚数に余裕がある装置を選択するようにしてもよい。
ステップＳ１１０：ステップＳ１０９にて選択した選択結果を店員用表示部１４に表示する。例えば、選択した装置の装置番号、各装置における出金予定の金種毎の貨幣の枚数を表示する。なお、表示出力に代えて、又は、加えて、上記選択結果を印刷出力してもよい。
ステップＳ１１１：ステップＳ１０９にて選択した装置に読み取らせる出金伝票を印刷、発行する。図８に示すフローチャートは終了し、図７に示すステップＳ１８に進む。
【００５７】
ステップＳ１８：他装置から釣銭残置情報要求を受信したか否かを判断する。釣銭残置情報要求を受信していればステップＳ２０に進み、釣銭ニアエンド情報を受信していなければステップＳ２４に進む。
ステップＳ２０：自装置の釣銭残置情報を取得する。
ステップＳ２２：ステップＳ２０にて取得した釣銭残置情報を釣銭残置情報要求の要求元に送信する。
【００５８】
ステップＳ２４：出金伝票が読み取られたか否かを判断する。出金伝票が読み取られていればステップＳ２６に進み、読み取られていなければステップＳ２８に進む。
ステップＳ２６：出金処理を実行する。具体的には、図９に示したステップＳ２０１以下を実行する。
【００５９】
ステップＳ２０１：出金伝票にコード化されていた装置番号に基づいて、読み取られた出金伝票が自装置を対象とするものであるか否かを判断する。読み取られた出金伝票が自装置を対象とするものであれば、ステップＳ２０２に進み、そうでなければ、出金処理（ステップＳ２６）を抜けてステップＳ２８に進む。
ステップＳ２０２：出金伝票にコード化されていた金種毎の放出枚数（出金枚数）に基づいて貨幣を放出（出金）する。
ステップＳ２０３：出金履歴情報を記憶する。例えば、出金履歴情報として、日時、装置番号、出金伝票による出金である旨、操作者情報、金種毎の放出枚数（出金枚数）などを記憶する。なお、出金履歴情報として、出金伝票による出金である旨に代えて、又は、加えて、釣銭ニアエンドに起因する出金である旨の情報を記憶してもよい。
ステップＳ２０４：釣銭ニアエンドとなっている他装置に読み取らせる入金伝票を印刷、発行する。図９に示すフローチャートは終了し、図７に示すステップＳ２８に進む。
【００６０】
ステップＳ２８：入金伝票が読み取られたか否かを判断する。入金伝票が読み取られていればステップＳ３０に進み、読み取られていなければ図７に示すフローチャートは終了する。
ステップＳ３０：入金処理を実行する。具体的には、図１０に示したステップＳ３０１以下を実行する。
【００６１】
ステップＳ３０１：入金伝票にコード化されていた装置番号に基づいて、読み取られた入金伝票が自装置を対象とするものであるか否かを判断する。読み取られた入金伝票が自装置を対象とするものであれば、ステップＳ３０２に進み、そうでなければ図１０及び図７に示すフローチャートは終了する。
ステップＳ３０２：預り金投入口への貨幣の投入を受け付ける。
ステップＳ３０３：投入された金種と枚数とが、入金伝票にコード化されていた金種毎の投入枚数（入金枚数）と一致するか否かを判断する。一致していればステップＳ３０４に進み、一致していなければステップＳ３０６に進む。
ステップＳ３０４：投入貨幣を収納（入金）する。
ステップＳ３０５：入金履歴情報を記憶する。例えば、入金履歴情報として、日時、装置番号、入金伝票による入金である旨、操作者情報、金種毎の投入枚数（入金枚数）などを記憶する。なお、入金履歴情報として、入金伝票による入金である旨に代えて、又は、加えて、釣銭ニアエンドに起因する入金である旨の情報を記憶してもよい。
そして図１０及び図７に示すフローチャートは終了する。
ステップＳ３０６：金額不一致の旨を出力（例えば、店員用表示部１４へのポップアップ画面を表示）し、処理を続行する旨の操作（例えば、「ＯＫ」ボタンの押下）があったか否かを判断する。処理を続行する旨の操作があれば上述のステップＳ３０４以下を実行し、処理を続行する旨の操作がなければ、ステップＳ３０７に進む。
ステップＳ３０７：ステップＳ３０２にて投入された貨幣を排出（返金）する。そして図１０及び図７に示すフローチャートは終了する。
【００６２】
なお、金額不一致であったが処理を続行させて投入紙幣を収納した場合には、入金履歴情報として、金額不一致であったが処理を続行させて投入紙幣を収納した旨を記憶するようにしてもよい。入金履歴情報として、釣銭ニアエンドの補充において金額不一致であったが処理を続行させて投入紙幣を収納した旨を記憶してもよい。また、金額不一致のため投入紙幣を排出した場合には、金額不一致のため投入紙幣を排出した旨の情報を履歴情報として残すようにしてもよいし、釣銭ニアエンドの補充において金額不一致のため投入紙幣を排出した旨の情報を履歴情報として残すようにしてもよい。
【００６３】
図１１及び図１２は、ＰＯＳシステム１の動作の一例を示すフローチャートである。具体的には、釣銭の補充に関する複数台のＰＯＳレジスタ２の動作の一例を示している。なお、図１１及び図１２に示すフローチャートの説明において、ＰＯＳシステム１が備えるＰＯＳレジスタ２の台数は、４台（ＰＯＳレジスタ２−１〜ＰＯＳレジスタ２−４）であるものとし、ＰＯＳレジスタ２−１が釣銭ニアエンドになったものとする。図１１（図１２も同様）に示すフローチャートの一番左側はＰＯＳレジスタ２−１の動作、左から二番目はＰＯＳレジスタ２−２の動作、左から三番目はＰＯＳレジスタ２−３の動作、一番右側はＰＯＳレジスタ２−４の動作を表している。図１２に示すフローチャートは、図１１に示すフローチャートの続きである。
【００６４】
ステップＳ５００：ＰＯＳレジスタ２−１は、自装置の釣銭ニアエンドを認識する。
ステップＳ５０１：ＰＯＳレジスタ２−１は、釣銭ニアエンド情報をＰＯＳレジスタ２−２に送信する。なお、ＰＯＳレジスタ２−１による釣銭ニアエンド情報の送信先は、ＰＯＳレジスタ２−２であると予め設定してあるものとする。
【００６５】
ステップＳ５０２：ＰＯＳレジスタ２−２は、ＰＯＳレジスタ２−１から釣銭ニアエンド情報を受信する。
ステップＳ５０３：ＰＯＳレジスタ２−２は、釣銭ニアエンドの装置が存在している旨の警告情報を店員用表示部１４に表示する。ＰＯＳレジスタ２−２は、所定のボタンが押下された場合にステップＳ５０４に進む。
ステップＳ５０４：ＰＯＳレジスタ２−２は、自装置の釣銭残置情報を取得する。
ステップＳ５０５：ＰＯＳレジスタ２−２は、ＰＯＳレジスタ２−３及びＰＯＳレジスタ２−４に釣銭残置情報要求を送信する。
【００６６】
ステップＳ５０６：ＰＯＳレジスタ２−３は、ＰＯＳレジスタ２−２から釣銭残置情報要求を受信する。
ステップＳ５０７：ＰＯＳレジスタ２−３は、自装置の釣銭残置情報を取得する。
ステップＳ５０８：ＰＯＳレジスタ２−３は、自装置の釣銭残置情報をＰＯＳレジスタ２−２に送信する。
【００６７】
ステップＳ５０９：ＰＯＳレジスタ２−４は、ＰＯＳレジスタ２−２から釣銭残置情報要求を受信する。
ステップＳ５１０：ＰＯＳレジスタ２−４は、自装置の釣銭残置情報を取得する。
ステップＳ５１１：ＰＯＳレジスタ２−４は、自装置の釣銭残置情報をＰＯＳレジスタ２−２に送信する。
【００６８】
ステップＳ５１２：ＰＯＳレジスタ２−２は、ＰＯＳレジスタ２−３及びＰＯＳレジスタ２−４から釣銭残置情報を受信する。
ステップＳ５１３：ＰＯＳレジスタ２−２は、出金伝票の発行を準備する。具体的には、ＰＯＳレジスタ２−２は、図８に示すフローチャートのステップＳ１０６〜ステップＳ１１０を実行する。なお、ステップＳ１０９において、ＰＯＳレジスタ２−２は、ＰＯＳレジスタ２−１に補充する金種毎の要補充枚数分の貨幣を出金可能な装置として、ＰＯＳレジスタ２−２（自装置）とＰＯＳレジスタ２−３を選択したものとする。
ステップＳ５１４：ＰＯＳレジスタ２−２は、出金可能な装置として選択した装置において読み取らせる出金伝票を印刷、発行する。即ち、ＰＯＳレジスタ２−２は、ＰＯＳレジスタ２−２（自装置）用の出金伝票、及び、ＰＯＳレジスタ２−３用の出金伝票を印刷、発行する。
【００６９】
ステップＳ５２０：ＰＯＳレジスタ２−２は、ＰＯＳレジスタ２−２（自装置）を対象とする出金伝票を読み取る。
ステップＳ５２１：ＰＯＳレジスタ２−２は、出金伝票に従って貨幣を放出（出金）する。
ステップＳ５２２：ＰＯＳレジスタ２−２は、出金履歴情報を記憶する。
ステップＳ５２３：ＰＯＳレジスタ２−２は、ＰＯＳレジスタ２−１に読み取らせる入金伝票を印刷、発行する。
【００７０】
ステップＳ５２４：ＰＯＳレジスタ２−３は、ＰＯＳレジスタ２−３（自装置）を対象とする出金伝票を読み取る。
ステップＳ５２５：ＰＯＳレジスタ２−３は、出金伝票に従って貨幣を放出（出金）する。
ステップＳ５２６：ＰＯＳレジスタ２−３は、出金履歴情報を記憶する。
ステップＳ５２７：ＰＯＳレジスタ２−３は、ＰＯＳレジスタ２−１に読み取らせる入金伝票を印刷、発行する。
【００７１】
ステップＳ５２８：ＰＯＳレジスタ２−１は、ＰＯＳレジスタ２−１（自装置）を対象とする入金伝票を読み取る。即ち、ステップＳ５２３にてＰＯＳレジスタ２−２が発行した入金伝票か、ステップＳ５２７にてＰＯＳレジスタ２−３が発行した入金伝票の何れかを読み取る。
ステップＳ５２９：ＰＯＳレジスタ２−１は、預り金投入口への貨幣の投入を受け付ける。
ステップＳ５３０：ＰＯＳレジスタ２−１は、投入された金種と枚数とが、読み取った入金伝票と一致するか否かを判断する。一致していればステップＳ５３１に進み、一致していなければステップＳ５３３に進む。
ステップＳ５３１：ＰＯＳレジスタ２−１は、投入貨幣を収納（入金）する。
ステップＳ５３２：ＰＯＳレジスタ２−１は、入金履歴情報を記憶する。
ステップＳ５３３：ＰＯＳレジスタ２−１は、金額不一致の旨を出力（例えば、店員用表示部１４へのポップアップ画面を表示）する。即ち、ＰＯＳレジスタ２−１は、入出金に不一致が生じた旨を報知する。その後、ＰＯＳレジスタ２−１は、処理を続行する旨の操作があったか否かを判断する。処理を続行する旨の操作があれば上述のステップＳ５３１以下を実行し、処理を続行する旨の操作がなければ、ステップＳ５３４に進む。
ステップＳ５３４：ステップＳ５２９にて投入された貨幣を排出（返金）する。そして図１１及び図１２に示すフローチャートは終了する。なお、読み取っていない入金伝票が未だある場合には、ステップＳ５２８に戻る。
【００７２】
なお、ステップＳ５３３において、ＰＯＳレジスタ２−１は、画面表示に代えてまたは加えて、音声出力（例えば、アラーム音、合成音声）や、サインポール（後述）の発光などによって、入出金に不一致が生じた旨を報知してもよいし、警告情報を、ストアコントローラ３、責任者が所持する携帯端末、他のＰＯＳレジスタ２などに報知（送信）してもよい。
【００７３】
以上のように、ＰＯＳレジスタ２は、所望の金種、枚数の貨幣（例えば、釣銭ニアエンドとなっている他のＰＯＳレジスタ２における金種毎の要補充枚数分の貨幣）を釣銭ニアエンドとなっている他のＰＯＳレジスタ２以外の他のＰＯＳレジスタ２に出金又は入金させるコード情報（例えば、ＱＲコード（登録商標）、Ｃｏｄｅ１２８、ＩＴＦｃｏｄｅ）が記録された出金伝票又は入金伝票を印刷し発行する印刷部１９を備える。また、ＰＯＳレジスタ２は、印刷部１９により発行された出金伝票又は入金伝票に記録されたコード情報を読み取るスキャナ部１８や撮像部２１を備える。また、ＰＯＳレジスタ２は、スキャナ部１８や撮像部２１により読み取られたコード情報に基づいて、上述の所望の金種、枚数の貨幣を自動釣銭釣札機１７に出金又は入金させる制御を行うＣＰＵ１１を備える。従って、コード情報に基づいて実際の入出金が実現されるので、金銭の過不足が生じ難くなり、より高度な入出金管理を行うことができる。つまり、出金伝票及び入金伝票に基づき、キャッシュフロー（現金の移動）を実現するため、金銭の過不足が生じ難くなる。また、入出金の際に読み取るコード情報を履歴として記憶しておけば、記録自体の信頼性は十分であるので、万が一、金銭の過不足が生じた場合であっても、金銭の過不足の把握や追跡が容易になる。また、入出金の際に読み取るコード情報を履歴として記憶しておけば、別途、記録を残す必要はないため、店員の手間もなくなる。また、ＰＯＳレジスタ２間においてキャッシュフローを実現しているため、準備金を圧縮することができる。
【００７４】
また、出金伝票又は入金伝票に印刷されるコード情報は、出金又は入金の処理区分（入出金フラグ）、出金又は入金する装置を識別する装置識別情報（対象装置の装置番号）、金種及び枚数を含む。従って、たとえ不正が行われたとしても、不正の把握や不正の追跡が容易になる。また、不正の追跡等が容易になるので、不正の抑止に繋がる。出金伝票又は入金伝票に印刷されるコード情報には、操作者を識別する操作者識別情報（従業員ＩＤ）を含む。従って、不正を行った者の特定なども更に容易になる。
【００７５】
また、入金伝票は、所望の金種が規定の枚数（残置基準枚数）を超えて収納されている自動釣銭釣札機１７を内蔵等するＰＯＳレジスタ２から印刷発行するようにしている。従って、離れた場所に入金伝票を取りに行く必要がなくなり、店員の手間や時間が軽減する。
【００７６】
また、上記実施形態では、ＰＯＳレジスタ２に読み取らせる伝票（出金伝票、入金伝票）とは別に、ＰＯＳレジスタ２に読み取らせない伝票（例えば、図４（ｂ）の補充レジ情報レシート）を印刷、発行している。ＰＯＳレジスタ２に読み取らせない伝票は、ＰＯＳレジスタ２に読み取らせる伝票の控えやレポートとして役立てることができる。例えば、作業前の作業内容の確認や作業後の作業内容の検証に役立てることができる。なお、上記実施形態では、出金伝票（出金指示レシート）の発行時に他の伝票（補充レジ情報レシート）を発行しているが、上記に代えてまたは加えて、入金伝票（入金指示レシート）の発行時に他の伝票を発行してもよい。
【００７７】
なお、上記実施形態では、出金可能なＰＯＳレジスタ２として、２台以上のＰＯＳレジスタ２を選択した場合には、選択した夫々のＰＯＳレジスタ２に読み取らせる夫々の出金伝票を印刷、発行すると説明したが、選択した複数のＰＯＳレジスタ２に共通に読み取らせる１枚の出金伝票を印刷、発行するようにしてもよい。なお、複数のＰＯＳレジスタ２に共通に読み取らせる１枚の共通の出金伝票には、ＰＯＳレジスタ２の夫々に読み取らせる複数のバーコード（個別のバーコード）を印刷してもよいし、複数のＰＯＳレジスタ２に共通に読み取らせる１つのバーコード（共通のバーコード）を印刷してもよい。なお、上述の共通のバーコードには、各ＰＯＳレジスタ２における金種毎の出金枚数などが、例えばＰＯＳレジスタ２毎に区切られるなどして、コード化されていればよい。また、他の伝票（補充レジ情報レシート）とともに出金伝票（出金指示レシート）を発行する態様において、複数のＰＯＳレジスタ２に共通に読み取らせる１枚の共通の出金伝票を発行する場合には、当該複数のＰＯＳレジスタ２の情報を纏めた１枚の補充レジ情報レシートを印刷、発行するとよい。
【００７８】
また、上記実施形態では、出力に関する情報を印刷した出金伝票と、入金に関する情報を印刷した入金伝票とを別々の伝票として発行しているが、出力に関する情報と入金に関する情報とを纏めて印刷した伝票（即ち、貨幣を出金（放出）する側、貨幣を投入（入力）する側の双方において読み取られる入出金共通の伝票）を発行してもよい。
【００７９】
また、上記実施形態では、伝票（出金伝票、入金伝票）は、ＰＯＳレジスタ２が印刷、発行するが、ＰＯＳレジスタ２に代えてストアコントローラ３が印刷、発行するようにしてもよい。出金伝票に関しては、例えば、釣銭ニアエンド情報をストアコントローラ３に送信し、釣銭ニアエンド情報を受信したストアコントローラ３が、図７に示すフローチャートの出金伝票の発行処理（ステップＳ１６）を実行してもよい。但し、ストアコントローラ３には、通常、自動釣銭釣札機１７が内蔵等されていないため、自装置の釣銭残置情報等については考慮しなくてよい。入金伝票に関しては、例えば、出金履歴情報を記憶した後にＰＯＳレジスタ２が入金伝票の印刷指示をストアコントローラ３に送信し、印刷指示を受信したストアコントローラ３が、入金伝票を印刷、発行してもよい。
【００８０】
また、上記実施形態では、金種毎の残置枚数に関する最新情報（釣銭残置情報）、入金履歴情報、出金履歴情報は、夫々の自動釣銭釣札機１７の内部、又は、夫々の自動釣銭釣札機１７を内蔵等しているＰＯＳレジスタ２のハードディスク２２に記憶されるが、ストアコントローラ３が、上記情報を記憶するようにしてもよい。例えば、ストアコントローラ３は、貨幣の投入、放出に際し、金種毎の投入枚数、放出枚数などの情報をＰＯＳレジスタ２から受信し、各ＰＯＳレジスタ２の自動釣銭釣札機１７の釣銭残置情報、入金履歴情報、出金履歴情報を記憶してもよい。
【００８１】
また、上記実施形態では、ＰＯＳレジスタ２は、読み取った出金伝票が自装置を対象とするものであれば貨幣を出金（放出）し、また、読み取った入金伝票が自装置を対象とするものであって投入貨幣の枚数が入金伝票と一致すれば投入貨幣を入金（収納）するが、更に、操作する従業員に関する情報に基づいて入出金を管理してもよい。例えば、入出金時に、店員の携帯物（例えば、従業員カード）から従業員ＩＤを読み取り、伝票から読み取った従業員ＩＤと照合し、一致しているか否かを判定し、不一致である場合は入出金ができないように制御してもよい。なお、スキャナ部１８や撮像部２１によって、携帯物から従業員ＩＤの読み取ってもよい。携帯物がＩＣタグなどを備える従業員カードである場合には、ＲＦＩＤを利用して従業員ＩＤの読み取ってもよい。従業員ＩＤが不一致となった場合には、警告情報（入出金操作において従業員ＩＤが不一致となった旨）を、ストアコントローラ３、責任者が所持する携帯端末、他のＰＯＳレジスタ２などに報知（送信）してもよい。なお、後述の準備金管理装置も同様である。
【００８２】
また、撮像部２１によって入出金操作を撮像しておき、従業員ＩＤが不一致となった場合には、読み取られた伝票のコード情報とともに（即ち、履歴情報として）、入出金操作において従業員ＩＤが不一致となった旨の警告情報と、撮像画像とを保存するようにしてもよい。なお、従業員ＩＤが一致した場合にも履歴情報として撮像画像を記憶してもよい。あるいは、入出金操作において従業員ＩＤの不一致が生じたときに撮像を開始してもよい。何れであっても、不一致が生じた際の撮像画像と警告情報と伝票のコード情報とを記憶しておき、後日の追跡調査が正確且つ簡単にできるようになる。例えば、追跡調査時には、調査対象の伝票が判明している場合には、当該伝票のコード情報を読み取って、読み取られたコード情報を検索条件とし、履歴情報から目的の入出金操作を検索することもできる。
【００８３】
また、上述のような履歴情報（出金履歴情報、入金履歴情報を含む）に基づいて、従業員毎の入出金管理に関するレポートを出力（表示又は印刷）してもよい。即ち、履歴情報には、日時、装置番号、伝票（出金伝票、入金伝票）による出金である旨、操作者情報（従業員ＩＤ）、金種毎の放出枚数（収納枚数）などが格納されているため、例えば、釣銭の補充の作業に係る日報、週報、月報などを従業員毎に出力してもよい。
【００８４】
また、上記実施形態では、印刷出力された伝票（出金伝票、入金伝票）には、当該伝票を読み取らせる装置の装置番号などが視認可能（機械によらず読解可能）に印刷されているため、伝票を見れば、当該伝票を読み取る装置はどの装置であるのか（つまり当該伝票をどの装置に持っていけばよいのか）が判るが、先端部分が発光するサインポールを、夫々のＰＯＳレジスタ２に接続し、サインポールの発光によって該当する装置を店員に報知するようにしてもよい。あるいは、伝票の発行前であっても、サインポールの発光によって釣銭ニアエンドになった装置を店員に報知するようにしてもよい。
【００８５】
例えば、ＰＯＳレジスタ２は、釣銭ニアエンドになった場合にサインポールを例えば赤色にて発光させるようにしてもよい。また、釣銭ニアエンド情報を受信したＰＯＳレジスタ２は、サインポールを例えば青色にて発光させるようにしてもよい。また、あるＰＯＳレジスタ２が出金伝票を印刷発行した場合、当該出金伝票に示された１台以上のＰＯＳレジスタ２（即ち、貨幣を出金するＰＯＳレジスタ２として選択されたＰＯＳレジスタ２）は、サインポールを例えば黄色にて発光させるようにしてもよい。なお、出金伝票を印刷出力するＰＯＳレジスタ２は、貨幣を出金するＰＯＳレジスタ２として他のＰＯＳレジスタ２を選択した場合、選択した他のＰＯＳレジスタ２に対して貨幣を出金するＰＯＳレジスタ２として選択した旨の情報を送信することによって、出金伝票に示されたＰＯＳレジスタ２は、自装置が出金伝票に示されたＰＯＳレジスタ２である旨と判断し、サインポールを発光させるようにしてもよい。
【００８６】
また、上記実施形態では、他のＰＯＳレジスタ２に補充するための貨幣を、他の１台以上のＰＯＳレジスタ２から調達（出金）しているが、補充するための貨幣の全部又は一部をＰＯＳレジスタ２以外（例えば、補充するための貨幣の全部又は一部を事務所等に予め用意した準備金）から調達するようにしてもよい。具体的には、ＰＯＳシステム１として、補充する貨幣の調達先に関して設定できるようにしてもよい。例えば、準備金（事務所等）から調達する旨（“事務所一括”）、又は、１台以上のＰＯＳレジスタ２から調達する旨（“店内分散”）の何れかを指定する「調達先指定」欄を設けておいてもよい。なお、「調達先指定」欄において“店内分散”が指定されている場合には、１台以上のＰＯＳレジスタ２から調達するが、所定数以上のＰＯＳレジスタ２から調達しなければならないような場合（出金する装置として選択されたＰＯＳレジスタ２の台数が所定数以上である場合）には、“事務所一括”が指定されている場合と同様、補充するための貨幣の全部を準備金（事務所等）から調達するようにしてもよい。
【００８７】
なお、上記実施形態において、ＰＯＳシステム１が備える全部の自動釣銭釣札機１７が収納している貨幣（ＰＯＳシステム１に存在する全部のＰＯＳレジスタ２の自動釣銭釣札機１７が全体として収納している貨幣）を用いても、釣銭ニアエンドを生じさせたＰＯＳレジスタ２の自動釣銭釣札機１７の補充分を賄いきれない場面が生じ得る。当該場面が生じたときは、上述の「調達先指定」欄が設けられているか否か（即ち、欄自体が存在しているか否か）に関らず、あるいは、「調達先指定」欄が設けられている場合の指定内容に関らず、補充するための貨幣の全部又は一部をＰＯＳレジスタ２以外（例えば、補充するための貨幣の全部又は一部を事務所等に予め用意した準備金）から調達する。例えば、補充するための貨幣の全部を準備金（事務所等）から調達してもよいし、全部のＰＯＳレジスタ２（あるいは所定数のＰＯＳレジスタ２）からの出金では足りない分について準備金から調達するようにしてもよい。また、上述の「調達先指定」欄が設けられている場合に、上記場面が生じたときは、「調達先指定」欄において指定されている内容に応じて調達先を決定してもよい。例えば、「調達先指定」欄において“事務所一括”が指定されている場合には、補充するための貨幣の全部を準備金から調達し、「調達先指定」欄において“店内分散”が指定されている場合には、全部のＰＯＳレジスタ２（あるいは所定数のＰＯＳレジスタ２）からの出金では足りない分について準備金から調達するようにしてもよい。
【００８８】
なお、上述のように準備金から調達する場面を想定し、出金伝票を読み取るスキャナや入金伝票を印刷、発行する印刷部を備えた装置（以下、準備金管理装置という）に予め準備金を格納するようにしておいてもよい。つまり、ＰＯＳレジスタ２、準備金管理装置は、以下のように動作してもよい。釣銭ニアエンド情報を受信したＰＯＳレジスタ２は、準備金管理装置に読み取らせる出金伝票を印刷発行する。準備金管理装置は、ＰＯＳレジスタ２の図９に示した動作と同様、出金伝票が自装置（当該準備金管理装置）を対象とするものであるか否かを判断し、自装置を対象とするものであれば、出金伝票に基づいて貨幣を放出（出金）し、出金履歴情報を記憶する。なお、出金履歴情報として、日時、装置番号、出金伝票による出金である旨、操作者情報、金種毎の放出枚数（出金枚数）などを記憶する。また、出金履歴情報として、出金伝票による出金である旨に代えて、又は、加えて、釣銭ニアエンドに起因する出金である旨の情報を記憶してもよい。貨幣を出金した準備金管理装置は、釣銭ニアエンドとなったＰＯＳレジスタ２に読み取らせる入金伝票を印刷発行する。なお、準備金管理装置は、図１に示すＬＡＮに接続されていてもよい。
【００８９】
また、上記実施形態では、あるＰＯＳレジスタ２が釣銭ニアエンドになった場合、他のあるＰＯＳレジスタ２に釣銭ニアエンド情報を送信し、釣銭ニアエンド情報を受信したＰＯＳレジスタ２（即ち、釣銭ニアエンドになったＰＯＳレジスタ２以外のＰＯＳレジスタ２）が出金伝票を印刷、発行するが、釣銭ニアエンドになったＰＯＳレジスタ２は、釣銭ニアエンド情報を送信することなく、自ら出金伝票を印刷、発行するようにしてもよい。例えば、図１１に示すフローチャートの例において、ステップＳ５００で自装置の釣銭ニアエンドを認識したＰＯＳレジスタ２−１は、ＰＯＳレジスタ２−２に釣銭ニアエンド情報を送信せずに、ＰＯＳレジスタ２−２に代えて自ら、ステップＳ５０３、Ｓ５０４、Ｓ５０５、Ｓ５１２、Ｓ５１３、Ｓ５１４の各処理を実行するようにしてもよい。なお、上記場合、ＰＯＳレジスタ２−２は、ＰＯＳレジスタ２−３やＰＯＳレジスタ２−４と同様の処理を実行すればよい。
【００９０】
また、上記実施形態では、釣銭ニアエンドが生じたタイミングに釣銭の補充（移動）を行っているが、他のタイミングにおいて釣銭を移動させてもよい。例えば、釣銭の補充に係わる機能として、売上回収の画面に「残置確認」のキーを設けておき、「残置確認」のキーが押下されたタイミングにて釣銭を移動させるようにしてもよい。例えば、「残置確認」キーが押下された場合、各ＰＯＳレジスタ２の釣銭残置情報（現在の金種毎の枚数など）を取得し、金種毎の枚数が、基準枚数（翌日の営業分として残しておく金種毎の基準枚数）を下回っているＰＯＳレジスタ２が存在する場合には、当該基準枚数を下回っているＰＯＳレジスタ２に入金（移動）させる貨幣を出金可能な１以上のＰＯＳレジスタ２（又は、準備金管理装置）を釣銭ニアエンドが生じたタイミングの場合と同様に選択し、選択したＰＯＳレジスタ２に読み取らせる出金伝票を印刷発行し、出金伝票を読み取って出金が完了したときに入金伝票を印刷発行し、上述の下回っているＰＯＳレジスタ２にて入金伝票を読み取らせて貨幣を補充する。なお、「残置確認」キーの押下後に取得した、基準枚数を下回っているＰＯＳレジスタ２を含む各ＰＯＳレジスタ２の釣銭残置情報を店員用表示部１４に表示してもよいし、印刷してもよい。
【００９１】
なお、上記実施形態では、ＰＯＳシステム１は、主に登録処理を行う登録装置の機能と主に会計処理を行う会計装置の機能とを兼ね備えた装置であるＰＯＳレジスタ２、即ち、登録装置と会計装置とを一体化したＰＯＳレジスタ２を備えると説明したが、ＰＯＳシステム１は、ＰＯＳレジスタ２に代えて、主に登録処理を行う登録装置と、主に会計処理を行う会計装置とを別体として備えるようにしてもよい。
【００９２】
以下、登録装置と会計装置とを別体として備える構成の場合について説明する。自動釣銭釣札機１７は、会計装置に内蔵等される。会計装置は、お客自らが会計操作を行うもの（セルフ型の会計装置）であってもよい。登録装置は、お客自らが登録操作を行うもの（セルフ型の登録装置）であってもよい。なお、上記実施形態において説明したＰＯＳレジスタ２についても、お客自らが操作（登録操作、会計操作）を行うもの（セルフ型の一体化したＰＯＳレジスタ）であってもよい。
【００９３】
釣銭ニアエンドになった会計装置は、登録装置に釣銭ニアエンド情報を送信する。例えば、釣銭ニアエンドになった会計装置は、予め設定された所定の登録装置（例えば、自装置に最も近い位置に配置された登録装置）に釣銭ニアエンド情報を送信する。また例えば、釣銭ニアエンドになった会計装置は、店員の操作によって指定された登録装置に釣銭ニアエンド情報を送信してもよい。なお、釣銭ニアエンドになった会計装置が、お客自らが会計操作を行う会計装置である場合には、お客が知らない特定の操作（シークレット操作）が行われた後でなければ、釣銭ニアエンド情報を送信する登録装置を指定する操作ができないようにしてもよい。釣銭ニアエンド情報を受信した登録装置は、釣銭ニアエンド情報を受信した場合のＰＯＳレジスタ２と同様に、釣銭ニアエンドになった会計装置に補充するための貨幣を出金する１以上の会計装置（または、準備金管理装置）を選択し、出金伝票を印刷、発行する。なお、釣銭ニアエンドになった会計装置は、釣銭ニアエンドになったＰＯＳレジスタ２と同様に、釣銭ニアエンド情報を送信することなく、自ら出金伝票を印刷、発行するようにしてもよい。
【００９４】
出金伝票を読み取った会計装置は、読み取った出金伝票が自装置を対象とするものであれば貨幣を出金（放出）し、釣銭ニアエンドになった会計装置に読み取らせる入金伝票を印刷、発行する。入金伝票を読み取った会計装置は、読み取った入金伝票が自装置を対象とするものであって投入貨幣の枚数が入金伝票と一致すれば投入貨幣を入金（収納）する。更に、会計装置は、ＰＯＳレジスタ２と同様、操作する従業員に関する情報に基づいて入出金を管理してもよい。
【００９５】
なお、ＰＯＳレジスタ２と同様、会計装置の夫々にサインポールを接続し、釣銭ニアエンドになった装置である旨、伝票を読み取る装置である旨などを店員に報知してもよい。また、登録装置の夫々にサインポールを接続し、釣銭ニアエンド情報を受信した装置である旨などを店員に報知してもよい。
【００９６】
なお、上記実施形態では、釣銭ニアエンド（自動釣銭釣札機１７の貨幣がゼロに近い枚数である状態）の場合における貨幣の移動（出金、入金）について説明しているが、釣銭ニアフル（自動釣銭釣札機１７の貨幣が収納許容限度枚数に近い枚数である状態）の場合における貨幣の移動（出金、入金）について同様である。
【００９７】
以下、釣銭ニアフルのときの動作について、登録装置と会計装置とが一体である構成の場合（即ち、ＰＯＳレジスタ２を備える構成の場合）と、登録装置と会計装置とを別体として備える構成の場合とに分けて説明する。
【００９８】
（ＰＯＳレジスタ２を備える構成の場合）
釣銭ニアフルになったＰＯＳレジスタ２は、予め設定された所定のＰＯＳレジスタ２、又は、店員の操作によって指定されたＰＯＳレジスタ２に、釣銭ニアフル情報を送信する。釣銭ニアフル情報を受信したＰＯＳレジスタ２は、釣銭ニアフルになったＰＯＳレジスタ２から貨幣を放出（出金）させる出金伝票を印刷、発行する。なお、釣銭ニアフルになったＰＯＳレジスタ２は、釣銭ニアフル情報を送信することなく、自ら出金伝票を印刷、発行するようにしてもよい。
【００９９】
出金伝票を読み取ったＰＯＳレジスタ２（釣銭ニアフルになったＰＯＳレジスタ２）は、読み取った出金伝票が自装置を対象とするものであれば、出金伝票に基づいて貨幣を放出（出金）し、出金履歴情報を記憶する。なお、出金履歴情報として、日時、装置番号、出金伝票による出金である旨、操作者情報、金種毎の放出枚数（出金枚数）などを記憶する。また、出金履歴情報として、出金伝票による出金である旨に代えて、又は、加えて、釣銭ニアフルに起因する出金（自装置の残置枚数を削減するための出金）である旨の情報を記憶してもよい。貨幣を出金したＰＯＳレジスタ２は、放出した貨幣を収納させる１以上のＰＯＳレジスタ２（または、準備金管理装置）を選択し、入金伝票を印刷、発行する。
【０１００】
放出した貨幣を１以上のＰＯＳレジスタ２に収納させる場合（準備金管理装置に収納させない場合）のＰＯＳレジスタ２の選択方法を説明する。当該具体例として、ＰＯＳレジスタ２−２は、千円札については１５枚迄入金可能、五千円札については８枚迄入金可能であるものとする。ＰＯＳレジスタ２−３は、千円札については８枚枚迄入金可能、五千円札については１５枚迄入金可能であるものとする。ＰＯＳレジスタ２−４は、千円札については３枚迄入金可能、五千円札については１０枚迄入金可能であるものとする。なお、入金可能な枚数は、現在の残置枚数と基準枚数（入金可能枚数の計算用の基準枚数）とから計算する。なお、入金可能枚数の計算用の基準枚数は、金種毎に設定しておいてもよい。また、入金可能枚数の計算用の基準枚数は、ＰＯＳレジスタ２別に金種毎に設定しておいてもよい。
【０１０１】
（選択方法１／最小限の装置を選択）
例えば、ＰＯＳレジスタ２−２（自装置）は、ＰＯＳレジスタ２−１（他装置）から釣銭ニアフル情報（千円札１０枚と五千円札５枚とを要放出）を受信した場合、最小限のＰＯＳレジスタ２を選択（台数が最小になるようにＰＯＳレジスタ２を選択）するべく、ＰＯＳレジスタ２−２を選択するようにしてもよい。当該場合、ＰＯＳレジスタ２−２の１台に千円札１０枚と五千円５枚を収納する。
【０１０２】
（選択方法２／各金種について最も収納できる枚数に余裕がある装置を選択）
例えば、ＰＯＳレジスタ２−２（自装置）は、ＰＯＳレジスタ２−１（他装置）から釣銭ニアフル情報（千円札１０枚と五千円札５枚とを要放出）を受信した場合、各金種について最も収納できる枚数に余裕がある装置を選択するべく、ＰＯＳレジスタ２−２とＰＯＳレジスタ２−３とを選択するようにしてもよい。当該場合、ＰＯＳレジスタ２−２に千円札１０枚を収納し、ＰＯＳレジスタ２−３に五千円５枚を収納する。
【０１０３】
入金伝票を読み取ったＰＯＳレジスタ２は、読み取った入金伝票が自装置を対象とするものであって投入貨幣の枚数が入金伝票と一致すれば投入貨幣を収納し、入金履歴情報を記憶する。なお、入金履歴情報として、日時、装置番号、入金伝票による入金である旨、操作者情報、金種毎の投入枚数（入金枚数）などを記憶する。また、入金履歴情報として、入金伝票による入金である旨に代えて、又は、加えて、釣銭ニアフルに起因する入金（釣銭ニアフルの解消のために他の装置から出金された貨幣の入金）である旨の情報を記憶してもよい。
【０１０４】
なお、準備金管理装置が入金伝票を読み取った場合（釣銭ニアフルとなったＰＯＳレジスタ２から出金された貨幣を準備金管理装置に入金させる場合）には、上述の入金伝票を読み取ったＰＯＳレジスタ２の場合と同様、投入貨幣の収納し、入金履歴情報を記憶する。
【０１０５】
なお、ＰＯＳレジスタ２は、釣銭ニアエンドの場合と同様、操作する従業員に関する情報に基づいて入出金を管理（制限）してもよい。準備金管理装置も同様である。また、ＰＯＳレジスタ２は、釣銭ニアエンドの場合と同様、サインポールを用いて、釣銭ニアフルになった装置である旨、伝票を読み取る装置である旨などを店員に報知してもよい。
【０１０６】
（登録装置と会計装置とを別体として備える構成の場合）
釣銭ニアフルになった会計装置は、予め設定された所定の登録装置、又は、店員の操作によって指定された登録装置に、釣銭ニアフル情報を送信する。釣銭ニアフル情報を受信した登録装置は、釣銭ニアフルになった会計装置から貨幣を放出（出金）させる出金伝票を印刷、発行する。なお、釣銭ニアフルになった会計装置は、釣銭ニアフル情報を送信することなく、自ら出金伝票を印刷、発行するようにしてもよい。
【０１０７】
出金伝票を読み取った会計装置（釣銭ニアフルになった会計装置）は、読み取った出金伝票が自装置を対象とするものであれば貨幣を出金（放出）し、放出した貨幣を収納させる１以上の会計装置（または、準備金管理装置）を選択し、入金伝票を印刷、発行する。
【０１０８】
放出した貨幣を１以上の会計装置に収納させる場合（準備金管理装置に収納させない場合）の会計装置の選択方法を説明する。当該具体例として、会計装置Ｂは、千円札については１５枚迄入金可能、五千円札については８枚迄入金可能であるものとする。会計装置Ｃは、千円札については８枚枚迄入金可能、五千円札については１５枚迄入金可能であるものとする。会計装置Ｄは、千円札については３枚迄入金可能、五千円札については１０枚迄入金可能であるものとする。
【０１０９】
（選択方法１／最小限の装置を選択）
例えば、会計装置Ｂ（自装置）は、会計装置Ａ（他装置）から釣銭ニアフル情報（千円札１０枚と五千円札５枚とを要放出）を受信した場合、最小限の会計装置を選択（台数が最小になるように会計装置を選択）するべく、会計装置Ｂを選択するようにしてもよい。当該場合、会計装置Ｂの１台に千円札１０枚と五千円５枚を収納する。
【０１１０】
（選択方法２／各金種について最も収納できる枚数に余裕がある装置を選択）
例えば、会計装置Ｂ（自装置）は、会計装置Ａ（他装置）から釣銭ニアフル情報（千円札１０枚と五千円札５枚とを要放出）を受信した場合、各金種について最も収納できる枚数に余裕がある装置を選択するべく、会計装置Ｂと会計装置Ｃとを選択するようにしてもよい。当該場合、会計装置Ｂに千円札１０枚を収納し、会計装置Ｃに五千円５枚を収納する。
【０１１１】
入金伝票を読み取った会計装置は、読み取った入金伝票が自装置を対象とするものであって投入貨幣の枚数が入金伝票と一致すれば投入貨幣を収納する。
【０１１２】
なお、会計装置は、釣銭ニアエンドの場合と同様、操作する従業員に関する情報に基づいて入出金を管理（制限）してもよい。また、釣銭ニアエンドの場合と同様、サインポールを用いて、釣銭ニアフルになった装置である旨、伝票を読み取る装置である旨などを店員に報知してもよい。
【０１１３】
なお、上記実施形態等では、入金情報に基づく金種（貨幣種）毎の枚数と、実際に入金した金種毎の枚数とが不一致であるか否かを判定するが（ステップＳ５３０）、金種毎の枚数同士を比較するのではなく、合計金額（総額）同士を比較してもよい。即ち、金種毎の枚数から出金時、入金時の合計金額が算出されるため、入金情報に基づく総額と、実際に入金した総額とが不一致であるか否かを判定するようにしてもよい。
【０１１４】
上記実施形態等では、ＰＯＳレジスタ２に読み取らせる情報を伝票（出金伝票、入金伝票）に記録（印刷）しているが、ＰＯＳレジスタ２に読み取らせる情報を他の記録媒体に記録してもよい。例えば、ＰＯＳレジスタ２は、ＲＦＩＤを利用して、ＰＯＳレジスタ２に読み取らせる情報を、ＩＣタグなどを備えるカード（例えば、従業員カードであってもよいし、従業員カードとは別のカードであってもよい）に記録（保存）してもよい。即ち、ＰＯＳレジスタ２（又は、別体である場合の会計装置）は、所望の金種、枚数の貨幣を釣銭釣札機に出金又は入金させる情報を印刷情報（例えば、バーコード）として記録（印刷）してもよいし、デジタル情報として記録（保存）してもよい。また、ＰＯＳレジスタ２（又は、別体である場合の会計装置）は、上述のように記録した情報（出金又は入金の情報）を記録態様に応じて読み取る。即ち、印刷情報として記録した場合には、スキャナ部１８や撮像部２１によって読み取り、デジタル情報として記録した場合には、例えば、記録時の通信方式に従って読み取る（例えば、ＲＦＩＤを利用して記録した場合にはＲＦＩＤを利用して読み取る）。そして、ＰＯＳレジスタ２（又は、別体である場合の会計装置）は、読み取られた出金又は入金の情報に基づいて、所望の金種、枚数の貨幣を釣銭釣札機に出金又は入金させる。
【０１１５】
なお、出金伝票又は入金伝票の何れか一方と、上述のカードとを併用してもよい。例えば、所望の金種、枚数の貨幣を釣銭釣札機１７に出金させる情報を出金伝票に記憶し、所望の金種、枚数の貨幣を釣銭釣札機１７に入金させる情報をカードに記録してもよい。なお、ＰＯＳレジスタ２に読み取らせる情報をカードに記録させる場合には、ＰＯＳレジスタ２に読み取らせる情報に加え、ＰＯＳレジスタ２に読み取らせない情報（補充レジ情報レシートに記録する情報に相当する情報）も当該カードに記録させてもよい。
【０１１６】
上記実施形態等では、二次元バーコードは撮像部２１によって読み取られ、一次元バーコードはスキャナ部１８によって読み取られると説明しているが、スキャナ部１８に代えて撮像部２１が、一次元バーコードを読み取ってもよい。
【０１１７】
上記実施形態等において説明したＰＯＳシステム１は、商品の代金を現金にて決済する釣銭釣札機を備えた会計システムの一例であって、商品の代金を現金にて決済する釣銭釣札機を備えた会計システムは、上記実施形態等において説明したＰＯＳシステム１に限定されない。例えば、釣銭釣札機を備える券売機（自動券売機を含む）を含むシステムも上記会計システムに該当する。つまり、本発明に係る会計システムは、例えば、登録装置の機能と会計装置の機能とを兼ね備えたＰＯＳレジスタ２を備える構成、あるいは、登録装置と会計装置とを別体として備える構成、あるいは、釣銭釣札機を内蔵等する券売機を備える構成など、商品の代金を現金にて決済する釣銭釣札機を備えていればよい。
【０１１８】
上記実施形態等において説明したＰＯＳシステム１は、例えば図１１に示すように、ＰＯＳレジスタ２、釣銭ニアエンドや釣銭ニアフルの装置が存在している旨の表示を実行し、出金伝票や入金伝票の発行を実行する例であるが、ＰＯＳレジスタ２に代えて、監視装置４が上記を実行してもよい。
【０１１９】
以下、監視装置４が、釣銭ニアエンドや釣銭ニアフルの装置が存在している旨の表示を実行し、出金伝票や入金伝票の発行を実行する例について説明する。以下、監視装置４は、出金伝票と入金伝票の機能を兼ね備えた入出金伝票（指示レシート）を発行する例を説明するが、入出金伝票に代えて、出金伝票と入金伝票を別媒体として発行してもよい。また、以下では、主に、釣銭ニアエンドを解消させる場面について説明するが、釣銭ニアフルを解消させる場面も同様である。
【０１２０】
図１３は、監視装置４を含むＰＯＳシステム１の適用例（使用例）である。店員（従業員）は、監視装置４の画面にて、各精算機が、釣銭ニアエンドや釣銭ニアフルとなっているか否かを監視する。上記の各精算機は、登録装置と会計装置とを一体化したレジ（ＰＯＳレジスタ２）であってもよいし、主に登録処理を行う登録装置と、主に会計処理を行う会計装置とを別体として備える場合の会計装置であってもよい。店員は、例えば、精算機１（レジＮＯ.１）が釣銭ニアエンドになっているのを確認した場合、精算機１における釣銭ニアエンドを解消させるために、監視装置４の画面にて、精算機１に入金する貨幣を出金させる他の精算機等を選択する。例えば、店員によって精算機２（レジＮＯ.２）が選択された場合、監視装置４は、精算機２から出金させ、精算機１に入金させる指示レシートを印刷、発行する。店員は、監視装置４から発行された指示レシートを持って出金レジである精算機２に移動し、指示レシートを用いて貨幣を出金する。続いて、店員は、上記指示レシートと、精算機２から出金された貨幣とを持って入金レジである精算機１に移動し、指示レシートを用いて上記貨幣を入金する。
【０１２１】
図１４は、監視装置４において表示される監視画面の一例である。監視装置４は、例えば、図１４に示すように、監視対象装置（精算機等）毎に、警告メッセージを一覧表示する。図１４の例によれば、精算機１、精算機１１（レジＮＯ.１１）及び精算機１４（レジＮＯ.１４）は釣銭ニアエンドである。また、精算機１４は釣銭ニアフルでもある。釣銭ニアエンド（又は、釣銭ニアエンド）であるときは、他と異なる表示態様（例えば、背景が黄色／図中は網掛表示）としている。
【０１２２】
監視装置４が、個々の精算機について釣銭ニアエンドであるか否かを判断する方法は種々考えられるが、一例として、夫々の精算機は、釣銭ニアエンドとなったときに釣銭ニアエンド情報を監視装置４に送信し、監視装置４は、ある精算機から釣銭ニアエンドを受信した場合、当該精算機について釣銭ニアエンドであると判断してもよい。釣銭ニアフルであるか否かを判断する場合も同様である。
【０１２３】
店員は、例えば、精算機１の釣銭ニアエンドを解消させるときには、図１４の右側に拡大表示したように、釣銭機１の「１２：０５  ニアエンド」なる警告メッセージの表示領域をタッチ（押下）する。また、例えば、精算機１４の釣銭ニアフルを解消させるときには、釣銭機１４の「１２：０２  ニアフル」なる警告メッセージの表示領域をタッチ（押下）する。つまり、店員は、警告メッセージ等を一覧表示する監視画面上において、釣銭ニアエンド（又は、釣銭ニアエンド）を解消させる精算機を指定する。
【０１２４】
図１５は、各種の設定枚数、各精算機の現保持枚数の一例である。具体的には、図１５（ａ）は、金種毎の釣銭ニアエンドの設定枚数（ＰＯＳシステム１において釣銭ニアエンドであると認識される枚数）、他の装置へ移動可能な金種毎の余剰金の設定枚数（余剰金設定枚数）、金種毎の釣銭ニアフルの設定枚数（ＰＯＳシステム１において釣銭ニアフルであると認識される枚数）の一例である。図１５（ａ）に示した情報は、監視装置４が参照可能な場所に記憶されている。例えば、監視装置４は、自装置内に図１５（ａ）に示した情報を記憶してもよい。
【０１２５】
図１５（ｂ）〜図１５（ｄ）は、各精算機の金種毎の現保持枚数である。現保持枚数を単に保持枚数とも称する。図１５（ｂ）〜図１５（ｄ）に示した情報は、監視装置４が参照可能な場所に記憶されている。具体的には、監視装置４は、自装置内に図１５（ａ）に示した情報を記憶してもよい。例えば、監視装置４は、ＬＡＮ上の各精算機に要求（釣銭残置情報要求）し、ＬＡＮ上の各精算機から、金種毎の貨幣の保持枚数に関する情報（釣銭残置情報）を受信し、自装置内に記憶してもよい。あるいは、ＬＡＮ上の各精算機は、金種毎の貨幣の保持枚数が変化したときに、釣銭残置情報を監視装置４に送信してもよい。なお、各精算機は、ストアコントローラ３に取引情報を送信するため、ストアコントローラ３は、取引情報に基づいて各精算機の釣銭残置情報を取得（把握）し得る。従って、監視装置４は、夫々の精算機から個別に釣銭残置情報を受信するのではなく、ストアコントローラ３から各精算機の釣銭残置情報を受信してもよい。
【０１２６】
監視装置４は、ある精算機が釣銭ニアエンドとなった場合に、当該精算機に補充する補充金の取得先（調達先）を自動的に選択（例えば、上述の選択方法１、選択方法２）してもよいが、店員に選択（指定）させてもよい。例えば、監視装置４は、当該精算機に補充する補充金を出金可能な精算機などを、補充金の取得先候補として店員に表示し、取得先候補のなかから取得先を店員に選択させてもよい。
【０１２７】
なお、ＰＯＳレジスタ２は、以下に記載する監視装置４による取得先候補の決定方法と同様に、余剰金設定枚数（後述）、補充設定（後述）、各精算機の保持枚数などに基づいて、補充金の取得先を自動的に選択してもよい。
【０１２８】
図１６は、釣銭ニアエンド時に補充金の取得先を選択するための選択画面の一例である。例えば、監視装置４は、図１４に示した監視画面において、精算機１の釣銭ニアエンドが指定された場合、図１５に示した情報に基づいて、図１６に示すような選択画面を表示し、精算機１に補充する補充金の取得先を店員に選択させてもよい。図１６に示した選択画面には、補充金の取得先候補として、事務所に対応するボタン、精算機２に対応するボタン、精算機４に対応するボタンが表示されている。店員は、画面上のボタンを押下して取得先を選択する。
【０１２９】
精算機に対応するボタン上には、釣銭ニアエンドである金種（補充される金種）についての当該精算機の余剰枚数が表示される。余剰枚数とは、図１５（ａ）に示した余剰金設定枚数を超える枚数である。例えば、図１６の選択画面において、精算機２に対応するボタンには、当該精算機２の余剰枚数（１００円硬貨が７０枚、５円硬貨が２０枚）が表示され、精算機４に対応するボタンには、当該精算機４の余剰枚数（１００円硬貨が６２枚、５円硬貨が２５枚）が表示されている。つまり、監視装置４は、ある金種の貨幣を補充する取得先候補として、ある精算機に対応するボタンを表示するときは、余剰金設定枚数（図１５（ａ））と、当該精算機における当該金種の釣銭残置情報とに基づいて、当該精算機の当該金種の余剰枚数を算出し、算出した余剰枚数をボタン上に表示する。例えば、図１６の選択画面には、１００円硬貨及び５円硬貨を補充する取得先候補として精算機２に対応するボタンが表示されているが、監視装置４は、１００円硬貨の余剰金設定枚数（１２０枚）と、精算機２における１００円硬貨の保持枚数（１９０枚）とに基づいて、精算機２の１００円硬貨の余剰枚数（７０枚）を算出し、また、５円硬貨の余剰金設定枚数（１２０枚）と、精算機２における５円硬貨の保持枚数（１４０枚）とに基づいて、精算機２の５円硬貨の余剰枚数（２０枚）を算出し、余剰枚数（１００円硬貨が７０枚、５円硬貨が２０枚）をボタン上に表示している。
【０１３０】
以下、出金可能な精算機（ボタンとして表示される精算機）に該当するか否かを判断する判断手法、即ち、取得先候補の決定方法について説明する。
【０１３１】
（出金可能な精算機に該当するか否かの判断手法）
監視装置４は、補充対象の金種（釣銭ニアエンドである金種）について、余剰金設定枚数と、補充設定（補充設定値（数）、補充基準値（数）とも称する）と、各精算機の保持枚数とに基づいて、各精算機が、出金可能な精算機に該当するか否かを判断する。補充設定の一例は、通過設定客数（設定客数、基準客数とも称する）である。通過設定客数とは、今後その精算機において会計を行うであろう通過する客数（客捌き予定数）として設定された客数（処理予定の客数）である。なお、通過設定客数の初期値は１５人であるものとする。補充設定（通過設定客数等）は、監視装置４が参照可能な場所に記憶されている。例えば、監視装置４は、自装置内に、通過設定客数を記憶してもよい。
【０１３２】
また、監視装置４が参照可能な場所（例えば、自装置内）には、通過設定客数に対応する枚数（通過設定客数対応枚数）を得るための情報が記憶されている。例えば、通過設定客数１人に対する各金種の枚数（通過設定客数１人につき換算される各金種の釣銭として払出されるであろう予定枚数）を設定した客数枚数基準情報が記憶されている。本実施形態の場合、客１人に釣銭として払出される貨幣毎の最大枚数に基づいて客数枚数基準情報を設定している。つまり、客数枚数基準情報には、通過設定客数１人に対し、１円硬貨は４枚、５円硬貨は１枚、１０円硬貨は４枚、５０円硬貨は１枚、１００円硬貨は４枚、５００円硬貨は１枚、千円札は４枚、５千円札は１枚である旨が設定されている。換言すれば、客数枚数基準情報には、１円硬貨、１０円硬貨、１００円硬貨、千円札の各金種の通過設定客数対応枚数は通過設定客数×４枚である旨、及び、５円硬貨、５０円硬貨、５００円硬貨、５千円札の各金種の通過設定客数対応枚数は通過設定客数×１枚である旨が設定されている。
【０１３３】
監視装置４は、通過設定客数と、客数枚数基準情報とに基づいて、各金種の通過設定客数対応枚数を得る。例えば、通過設定客数が１５人（初期値）であるときには、監視装置４は、通過設定客数対応枚数として、１円硬貨は６０枚、５円硬貨は１５枚、１０円硬貨は６０枚、…、５千円札は１５枚を得る。また例えば、通過設定客数が１０人であるときには、１円硬貨は４０枚、５円硬貨は１０枚、１０円硬貨は４０枚、…、５千円札は１０枚を得る。
【０１３４】
監視装置４は、補充対象の金種の保持枚数が、当該金種の余剰金設定枚数に当該金種の通過設定客数対応枚数を加算した枚数以上である精算機を出金可能な精算機と判断する。監視装置４は、補充対象の金種が２種類以上ある場合には、補充対象の全部の金種の夫々について、上記条件を満たしている精算機を出金可能な精算機と判断してもよい。
【０１３５】
例えば、補充対象の金種が１円硬貨のみである場合、監視装置４は、１円硬貨の保持枚数が、（１円硬貨の余剰金設定枚数＋１円硬貨の通過設定客数対応枚数）以上である精算機を出金可能な精算機と判断する。なお、１円硬貨の通過設定客数対応枚数は、上述の如く、通過設定客数×４枚である。補充対象の金種が１０円硬貨のみである場合や、補充対象の金種が１００円硬貨のみである場合や、補充対象の金種が千円札のみである場合も同様である。
【０１３６】
また、補充対象の金種が５円硬貨のみである場合、監視装置４は、５円硬貨の保持枚数が、（５円硬貨の余剰金設定枚数＋５円硬貨の通過設定客数対応枚数）以上である精算機を出金可能な精算機と判断する。なお、５円硬貨の通過設定客数対応枚数は、上述の如く、通過設定客数×１枚である。補充対象の金種が５０円硬貨のみである場合や、補充対象の金種が５００円硬貨のみである場合や、補充対象の金種が５千円札のみである場合も同様である。
【０１３７】
また、補充対象の金種が５円硬貨と１００円硬貨である場合、監視装置４は、５円硬貨の保持枚数が（５円硬貨の余剰金設定枚数＋５円硬貨の通過設定客数対応枚数）以上であって、かつ、１００円硬貨の保持枚数が（１００円硬貨の余剰金設定枚数＋１００円硬貨の通過設定客数対応枚数）以上である、精算機を出金可能な精算機と判断してもよい。補充対象の金種が他の２種類以上の組み合わせである場合も同様である。
【０１３８】
図１６の例の場合、精算機１の釣銭ニアエンドの金種は、図１５（ｂ）に示したように、５円硬貨と１００円硬貨である。また、図１５（ａ）によれば、５円硬貨の余剰金設定枚数は１２０枚、１００円硬貨の余剰金設定枚数は１２０枚である。そして、通過設定客数が１５人（初期値）であるときには、５円硬貨の通過設定客数対応枚数は１５枚、１００円硬貨の通過設定客数対応枚数は６０枚である。従って、図１４に示した監視画面において精算機１の釣銭ニアエンドが指定された場合、監視装置４は、５円硬貨を１３５枚（＝１２０枚＋１５枚）以上保持し、かつ、１００円硬貨を１８０枚（＝１２０枚＋６０枚）以上保持している、精算機２、精算機４を、出金可能な精算機と判断している。
【０１３９】
図１６に示した選択画面において、店員は、精算機１への補充金の取得先として、精算機２を選択するときにはボタン「Ｎｏ.２」をタッチし、精算機４を選択するときにはボタン「Ｎｏ.４」をタッチする。また、店員は、精算機１への補充金の取得先として、事務所を選択するときには、ボタン「事務所金から補充する」をタッチする。
【０１４０】
なお、出金可能な精算機が複数存在する場合には（精算機に対応するボタンを複数配置する場合には）、監視装置４は、図１６に示したように、上位（図１６の例の場合には画面上側）から下位（図１６の例の場合には画面下側）に、レジ番号の昇順にボタンを並べて表示する。
【０１４１】
但し、出金可能な精算機が複数存在する場合のボタンの並べ方は、レジ番号の昇順に並べる並べ方に限定されない。例えば、補充対象の金種の貨幣の保持枚数の降順（多い順）にボタンを表示させてもよい。即ち、監視装置４は、保持枚数に応じた優先順位に従って精算機に対応するボタンを表示してもよい。
【０１４２】
なお、出金可能な精算機が複数存在する場合であって、かつ、補充対象の金種が複数ある場合には、ある１つの金種（例えば、全金種について予め順位を付けておき補充対象の複数の金種のうち順位が最も高い金種、補充対象の複数の金種のうち額面が最も高い金種、補充対象の複数の金種のうち補充枚数が最も多い金種）について、保持枚数の降順にボタンを表示させてもよい。また、上記場合に、補充対象の各金種の合計枚数の降順にボタンを表示させてもよい。また、上記場合に、金種毎に係数（例えば、客数に換算させるべく、１円硬貨、１０円硬貨、…、１０００円札の係数は「1／４」、５円硬貨、５０円硬貨、…、５０００円札の係数は「１」）を付加して合算した枚数（例えば、図１６の精算機２の場合には７０枚×１／４＋２０枚×１）の降順にボタンを表示させてもよい。また、第１ソート、第２ソートというように、２以上の金種について降順にソートさせて表示してもよい。
【０１４３】
図１７は、貨幣の移動の状況等を確認するための確認画面の一例である。選択画面において、店員が取得先を選択し（取得先のボタンを押下）し、所定の操作（例えば、終了ボタンの押下）を行うと、監視装置４は、図１７に示すような確認画面を表示する。図１７に示した確認画面は、図１６の選択画面において、精算機１への補充金の取得先として精算機２が選択された場合の確認画面の一例である。図１７に示した確認画面において、店員は、貨幣の移動状況などを確認し、所定の操作（例えば、終了ボタンの押下）を行って、指示レシートを発行させる。即ち、確認画面において、店員が、所定の操作（例えば、終了ボタンの押下）を行うと、監視装置４は、操作者の認証（後述）後に、指示レシートを発行する。
【０１４４】
図１７に示した確認画面においては、移動元の保持枚数を視覚的に表示し（図１７の場合には棒グラフの様に表示し）、移動先の保持枚数については視覚的に表示していないが、移動元に代えて、又は、加えて、移動先の保持枚数を視覚的に表示してもよい。なお、移動元の視覚的な表示（例えば、棒グラフ）と、移動先の視覚的な表示（例えば、棒グラフ）とは、同時に（いっぺんに）表示してもよいし、操作によって何れかを切り替えて表示してもよい。
【０１４５】
図１８は、釣銭ニアフル時に放出（出金）した貨幣の入金先を選択するための選択画面の一例である。監視装置４は、図１４に示した監視画面において、ある精算機の釣銭ニアフルが指定された場合、当該精算機から出金した貨幣の入金先（収納先）を自動的に選択（例えば、上述の選択方法１、選択方法２）してもよいが、釣銭ニアエンドの場合と同様、店員に入金先を選択させてもよい。例えば、監視装置４は、図１４に示した監視画面において、精算機１４の釣銭ニアフルが指定された場合、図１５に示した情報に基づいて、図１８に示すような選択画面を表示し、精算機１４から出金した貨幣の入金先を店員に選択させてもよい。図１８に示す選択画面には、入金先の候補として事務所に対応するボタン、入金先の候補（入金可能な精算機）として精算機１に対応するボタン、精算機２に対応するボタン、精算機１１に対応するボタンが表示されている。店員は、画面上のボタンを押下して入金先を選択する。
【０１４６】
入金可能な精算機に該当するか否かの判断手法は、出金可能な精算機に該当するか否かの判断手法と同様である。図１８の例の場合、精算機１４の釣銭ニアフルの金種は、図１５（ｉ）に示したように、５０円硬貨である。また、図１５（ａ）によれば、５０円硬貨の余剰金設定枚数は１２０枚である。従って、図１４に示した監視画面において精算機１４の釣銭ニアフルが指定された場合、監視装置４は、５０円硬貨を１０５枚（＝１２０−（１５×１））以上保持していない、精算機１、精算機２、精算機１１を、入金可能な精算機と判断している。
【０１４７】
図１８に示した選択画面において、店員は、精算機１４から出金した貨幣の入金先として、精算機１を選択するときにはボタン「Ｎｏ.１」をタッチし、精算機２を選択するときにはボタン「Ｎｏ.２」をタッチし、精算機１１を選択するときにはボタン「Ｎｏ.１１」をタッチする。また、店員は、入金先として、事務所を選択するときには、ボタン「事務所金から補充する」をタッチする。
【０１４８】
なお、図１８に示したように、入金可能な精算機が複数存在する場合には（精算機に対応するボタンを複数配置する場合には）、監視装置４は、レジ番号の昇順にボタンを表示させてもよいし、収納対象の金種の貨幣の保持枚数の昇順（少ない順）にボタンを表示させてもよい。即ち、保持枚数（収納枚数）に応じた優先順位に従って精算機に対応するボタンを表示してもよい。なお、収納対象の金種が複数ある場合には、何れかの金種（例えば、収納対象の金種のうち額面の最も高い金種、収納枚数が最も多い金種）について、保持枚数の昇順にボタンを表示させてもよい。なお、図１８の選択画面において、店員が入金先を選択し（入金先のボタンを押下）し、所定の操作（例えば、終了ボタンの押下）を行うと、監視装置４は、釣銭ニアエンドのときと同様、確認画面を表示する。その後は、釣銭ニアフルの場合と同様である。
【０１４９】
なお、釣銭ニアエンドのときの確認画面には、図１７に示したように、移動元（図１６において店員が選択した取得先）と、移動先（図１４において店員が指定した釣銭ニアエンドの精算機）とが表示されるが、釣銭ニアフルのときの確認画面には、例えば、移動元（図１４において店員が指定した釣銭ニアフルの精算機）と、移動先（図１８において店員が選択した入金先）とが表示される。
【０１５０】
図１９は、操作者の認証について説明する説明図である。監視装置４は、釣銭ニアエンド（又は、釣銭ニアフル）である精算機が指定され、釣銭ニアエンド時における補充金の取得先（又は、釣銭ニアフル時における貨幣の入力先）が選択された場合、セキュリティーに関する画面を表示する。例えば、監視装置４は、図１７に示した確認画面において、店員が、所定の操作（例えば、終了ボタンの押下）を行った後に、従業員カードの読ませる旨を指示する、図１９（ａ）に示すような画面を表示する。図１９（ａ）の画面には、従業員カードを読ませる旨を指示するメッセージが表示されている。監視装置４は、スキャナを備えるが、従業員カードに印刷されている従業員バーコードがスキャナによって読み取られた場合、承認処理として、当該店員に指示レシート（入出金伝票）の発行権限があるか否かを判断する。具体的には、例えば、監視装置４は、従業員バーコードから得られる従業員コードと、予め設定され監視装置４の内部又は外部に保持されている権限ファイルを参照して、当該店員に指示レシート（入出金伝票）の発行権限があるか否かを判断してもよい。権限ファイルには、例えば、少なくとも、従業員コード別に指示レシートの発行処理に対する権限の有無に関する情報が格納されていればよい。監視装置４は、当該店員に指示レシート（入出金伝票）の発行権限があると判断した場合（即ち、承認ＯＫの場合）、指示レシートを印刷、発行する。なお、従業員バーコードは、操作者を識別する識別情報を含むコード情報の一例であって、操作者を識別する識別情報を含むコード情報は、光学的に読み取られるものに限定されず、例えば、磁気的、電気的に読み取られるものであってもよい。
【０１５１】
監視装置４は、従業員バーコードが読み取られた場合でなく、従業員コード及びパスワードが入力された場合であっても、指示レシート（入出金伝票）を印刷、発行してもよい。例えば、上述の権限ファイルに、従業員コード別に、パスワードと、指示レシートの発行処理に対する権限の有無に関する情報が格納しておき、監視装置４は、従業員コード及びパスワードが入力された場合には、権限ファイルを参照して、当該店員に指示レシート（入出金伝票）の発行権限があるか否かを判断する。
【０１５２】
なお、監視装置４は、図１９（ａ）の画面上のボタン「入力」がタッチされた場合、図１９（ｂ）に示すような画面を表示し、上記画面を介して従業員コード及びパスワードを取得してもよい。
【０１５３】
図２０は、指示レシートの一例である。監視装置４は、釣銭ニアエンド時における補充金の取得先（又は、釣銭ニアフル時における貨幣の入力先）として精算機が選択されたときと、取得先（又は、入力先）として事務所が選択されたときとで、異なる形式の指示レシートを印刷、発行する。具体的には、監視装置４は、精算機が選択されたときには、図２０（ａ）の如くサイン領域を有しない指示レシートを印刷、発行する。一方、監視装置４は、事務所が選択されたときには、図２０（ｂ）の如くサイン領域を有する指示レシートを印刷、発行する。なお、図２０（ｂ）に示した指示レシートには、３名分の押印ができるようにしているが、１名分、又は、２名分、又は、４名分以上の押印ができるようにしてもよい。また、図２０（ｂ）に示した指示レシートには、罫線（枠）が存在するサイン領域が印刷されているが、罫線（枠）が存在しないサイン領域を印刷してもよい。
【０１５４】
また、監視装置４は、釣銭ニアエンド時における補充金の取得先として精算機が選択されたときに発行する指示レシートには、出金指示情報と入金指示情報とを含んだバーコードを印刷するが、事務所が選択されたときであって事務所の準備金管理装置においてバーコードを読み取らないときには、出金指示情報を含まずに入金指示情報を含んだバーコードを印刷する。同様に、監視装置４は、釣銭ニアフル時における貨幣の入力先として精算機が選択されたときに発行する指示レシートには、出金指示情報と入金指示情報とを含んだバーコードを印刷するが、事務所が選択されたときであって事務所の準備金管理装置においてバーコードを読み取らないときには、入金指示情報を含まずに出金指示情報を含んだバーコードを印刷する。
【０１５５】
図２１〜図２３は、指示レシートを発行した後の流れを説明する説明図である。具体的には、釣銭ニアエンドである精算機に補充する補充金の取得先として事務所ではなく精算機が選択され、サイン領域を有しない指示レシートが発行された場合について説明する説明図である。
【０１５６】
監視装置４において指示レシートが発行された場合、店員（指示レシートを発行した店員、又は、他の店員）は、図２１に示すように、指示レシートを持って、補充金の取得先として選択した精算機に移動し、従業員カード上の従業員バーコード、及び、指示レシート上のバーコードを読み取らせる。上記精算機は、自身が補充金の取得先として選択された精算機であるか否か、及び、当該店員に出金の権限があるか否かを判断し、貨幣を出金する。例えば、上記精算機は、指示レシート上のバーコードから得られる出金指示情報に基づいて、自身が補充金の取得先として選択された精算機であるか否かを判断する。上記精算機は、自身が補充金の取得先として選択された精算機であると判断した場合には、例えば、従業員バーコードの読ませる旨を指示する図２２に示すような画面を表示し、従業員バーコードを取得する。上記精算機は、従業員バーコードに基づいて当該店員に出金の権限があると判断したときは、指示レシート上のバーコードから得られる出金指示情報に基づいて貨幣を出金する。
【０１５７】
補充金の取得先として選択した精算機から貨幣が出金された場合、店員（指示レシートを発行した店員、又は、他の店員）は、指示レシートと、当該貨幣を持って、釣銭ニアエンドである精算機に移動し、従業員カード上の従業員バーコード、及び、指示レシート上のバーコードを読み取らせる。上記精算機は、自身が補充金の取得先として選択された精算機であるか否か、及び、当該店員に入金の権限があるか否かを判断し、貨幣の投入を受け付ける。例えば、上記精算機は、指示レシート上のバーコードから得られる入金指示情報に基づいて、自身が貨幣を補充する精算機（釣銭ニアエンドを解消する精算機として監視装置４において指定された精算機）であるか否かを判断する。上記精算機は、自身が貨幣を補充する精算機であると判断した場合には、例えば、図２２に示すような画面を表示し、従業員バーコードを取得する。上記精算機は、従業員バーコードに基づいて当該店員に入金の権限があると判断したときは、貨幣の投入を受け付ける。例えば、上記精算機は、貨幣の投入を指示する図２３（ａ）に示すような画面を表示し、貨幣の投入を受け付ける。
【０１５８】
また、店員によって貨幣が投入された場合、上記精算機は、投入貨幣（投入金額）と、指示レシート上のバーコードから得られる入金指示情報に基づく金額（指示金額）とを比較し、不一致の場合には、例えば、金額が異なる旨を報知する図２３（ｂ）に示すような画面を表示する。図２３（ｂ）の画面には、投入貨幣に基づいて強制的に入金を実行させる旨のボタン「強制実行」と、当該画面を閉じる旨のボタン「閉じる」とが表示されている。上記精算機は、ボタン「強制実行」がタッチされた場合、投入貨幣に基づいて強制的に入金処理を実行させる理由を文字入力する画面や上記理由を選択させる画面などを表示する。例えば、上記精算機は、ボタン「強制実行」がタッチされた場合には、図２３（ｃ）に示すような画面、又は、図２３（ｄ）に示すような画面を表示する。上記精算機は、上記理由の入力（又は選択）があった場合には、投入金額と指示金額とが一致していなくても、投入貨幣に基づいて入金処理を実行する。なお、上記精算機は、各金種の合計の投入金額と、各金種の合計の指示金額とが一致していれば、金種毎の実際の投入枚数と、金種毎の指示枚数とが異なっていても、両者は一致していると判断してもよい。また、上記精算機は、上記判断に代えて、金種毎の実際の投入枚数と金種毎の指示枚数とが一致していなければ、各金種の合計の投入金額と各金種の合計の指示金額とが一致していても、両者は一致していないと判断してもよい。
【０１５９】
図２４は、釣銭ニアエンド時の動作の一例を示すフローチャートである。なお、図２４のフローチャートの開始時において、監視装置４は、警告メッセージを一覧表示する一覧表示画面（図１４参照）を表示しているものとする。
【０１６０】
ステップＳａ１：監視装置４は、一覧表示画面上において、釣銭ニアエンドを解消させる精算機の指定を受け付ける。
ステップＳａ２：監視装置４は、補充金の取得先の選択画面（例えば図１６に示すような選択画面）を表示する。
ステップＳａ３：監視装置４は、選択画面において、補充金の取得先の選択を受け付ける。また、監視装置４は、選択画面において終了ボタンが押下された後に、確認画面（例えば図１７に示すような確認画面）を表示する。
ステップＳａ４：監視装置４は、確認画面において終了ボタンが押下された後に、従業員カードの読ませる旨を指示する画面（例えば図１９（ａ）の画面）を表示する。
ステップＳａ５：監視装置４は、従業員カードに印刷されている従業員バーコードが読み取られたか否かを判断する。従業員バーコードが読み取られたと判断した場合にはステップＳａ９に進む。なお、従業員バーコードによって承認ＯＫとなったものとする。一方、従業員バーコードが読み取られていないと判断した場合にはステップＳａ６に進む。
【０１６１】
ステップＳａ６：監視装置４は、従業員カードの読ませる旨を指示する画面上のボタン「入力」がタッチされたか否かを判断する。タッチされたと判断した場合にはステップＳａ７に進む。タッチされていないと判断した場合にはステップＳａ５に戻る。
ステップＳａ７：監視装置４は、従業員コード及びパスワードの入力画面（例えば図１９（ｂ）の画面）を表示する。
ステップＳａ８：監視装置４は、入力画面を介して、従業員コード及びパスワードを取得する。なお、従業員コード及びパスワードによって承認ＯＫとなったものとする。
【０１６２】
ステップＳａ９：監視装置４は、ステップＳａ３において選択された取得先が精算機であるか否かを判断する。取得先が精算機の場合にはステップＳａ１０に進む。取得先が精算機でなく事務所の場合にはステップＳａ１１に進む。
ステップＳａ１０：監視装置４は、サイン領域を有しない指示レシート（例えば、図２０（ａ）の指示レシート）を印刷、発行する。そして、図２４のフローチャートは終了する。
ステップＳａ１１：監視装置４は、サイン領域を有する指示レシート（例えば、図２０（ｂ）の指示レシート）を印刷、発行する。そして、図２４のフローチャートは終了する。
【０１６３】
図２５は、出金時の動作の一例を示すフローチャートである。具体的には、図２５のフローチャートは、釣銭ニアエンドの解消時における、補充金の取得先の精算機の動作の一例を表している。
【０１６４】
ステップＳｂ１：補充金の取得先の精算機は、指示レシートを読み取る。
ステップＳｂ２：補充金の取得先の精算機は、従業員バーコードの入力を指示する画面（例えば図２２の画面）を表示する。
ステップＳｂ３：補充金の取得先の精算機は、従業員カードに印刷されている従業員バーコードが読み取られたか否かを判断する。従業員バーコードが読み取られたと判断した場合にはステップＳｂ５に進む。なお、従業員バーコードによって承認ＯＫとなったものとする。一方、従業員バーコードが読み取られていないと判断した場合にはステップＳｂ４に進む。
ステップＳｂ４：補充金の取得先の精算機は、従業員バーコードの入力を指示する画面上のボタン「中止」がタッチされたか否かを判断する。タッチされたと判断した場合には、図２５のフローチャートは終了する。タッチされていないと判断した場合にはステップＳｂ３に戻る。
ステップＳｂ５：補充金の取得先の精算機は、指示レシート上のバーコードから得られる出金指示情報に基づいて貨幣を出金する。即ち、指示レシートに従った指示金額を出金する。そして、図２５のフローチャートは終了する。
【０１６５】
図２６は、入金時の動作の一例を示すフローチャートである。具体的には、図２６のフローチャートは、釣銭ニアエンドの解消時における、補充する精算機（釣銭ニアエンドである精算機）の動作の一例を表している。なお、図２６のステップＳｃ１〜ステップＳｃ４は、図２５のステップＳｂ１〜ステップＳｂ４と同様であるため、ステップＳｃ５以降を説明する。
【０１６６】
ステップＳｃ５：釣銭ニアエンドである精算機は、貨幣の投入を指示する画面（図２３（ａ）の画面）を表示し、貨幣の投入を受け付ける。なお、釣銭ニアエンドである精算機は、貨幣の投入口への投入後に完了キーがタッチされた場合に、貨幣の投入を受け付けてもよい。
ステップＳｃ６：釣銭ニアエンドである精算機は、投入金額と、指示金額とが一致するか否かを判断する。一致すると判断した場合には、ステップＳｃ１３に進む。一致していないと判断した場合にはステップＳｃ７に進む。
【０１６７】
ステップＳｃ７：釣銭ニアエンドである精算機は、金額が異なる旨を報知する報知画面（図２３（ｂ）の画面）を表示する。
ステップＳｃ８：釣銭ニアエンドである精算機は、報知画面上のボタン「強制実行」がタッチされたか否かを判断する。タッチされたと判断した場合にはステップＳｃ１０に進む。タッチされていないと判断した場合にはステップＳｃ９に進む。
ステップＳｃ９：釣銭ニアエンドである精算機は、報知画面上のボタン「閉じる」がタッチされたか否かを判断する。タッチされたと判断した場合にはステップＳｃ５に戻って、再度の貨幣の投入を受ける。一方、タッチされていないと判断した場合にはステップＳｃ８に戻る。
【０１６８】
ステップＳｃ１０：釣銭ニアエンドである精算機は、強制入金の理由を入力する画面（図２３（ｃ）又は図２３（ｃ））を表示する。
ステップＳｃ１１：釣銭ニアエンドである精算機は、強制入金の理由の入力を受け付ける。
ステップＳｃ１２：釣銭ニアエンドである精算機は、投入金額（≠指示金額）を強制的に入金（収納）する。そして、図２６のフローチャートは終了する。
ステップＳｃ１３：釣銭ニアエンドである精算機は、投入金額（＝指示金額）を入金（収納）する。そして、図２６のフローチャートは終了する。
【０１６９】
なお、選択画面（図１６、図１８）においてボタンとして表示される精算機の数（選択の候補となる精算機の数）を、補充設定を変更することによって調整することができる。例えば、釣銭ニアエンドにおいて、ボタンとして表示される出金可能な精算機（取得先候補である精算機）の数が少ない場合に、通過設定客数の設定値（初期値等）を減らして、上記ボタンとして表示される精算機の数を増加させてもよい。
【０１７０】
図２７は、補充設定の変更について説明する説明図である。本説明においては、補充設定（補充基準値）として、上述の通過設定客数（設定客数、基準客数）の他に、補充設定枚数も存在する。即ち、補充設定には、通過設定客数と補充設定枚数とが含まれる。通過設定客数は、上述の如く、客数枚数基準情報を介して貨幣の枚数に換算されるのに対し、補充設定枚数は、貨幣の枚数を直接的に示している。補充設定枚数は、基本的には、通過設定客数（処理予定の客数）に応じた枚数である。
【０１７１】
図２８は、補充金の取得先を選択するための選択画面の一例である。例えば、監視装置４は、図１６の選択画面からボタン「設定変更」が押下された場合に、図２７に示すように、補充設定（補充基準値）を変更するための設定変更画面を表示し、店員から補充設定の変更を受け付けるようにしてもよい。図２７の例は、設定変更画面において、通過設定客数（初期値「１５人」）を１０人に設定する場合の操作を表している。つまり、ボタン「設定変更」の押下、数字ボタン「１」の押下、数字ボタン「０」の押下、ボタン「決定」の押下によって、通過設定客数が１０人に設定される。なお、ボタン「閉じる」の押下によって設定変更画面は消去される。
【０１７２】
図２７に示した設定変更画面は、図１６の選択画面に重畳して表示されるポップアップ画面であるが、選択画面からボタン「設定変更」が押下された場合に、選択画面から設定変更画面に表示を切り替えるようにしてもよい。なお、設定変更画面のボタン「閉じる」が押下された場合に、選択画面に切り替えるようにすればよい。
【０１７３】
図２７において、ボタン「枚数入力」やボタン「客数入力」は、補充設定の入力モードを切り替えるためのボタンである。ボタン「枚数入力」は、通過設定客数を入力（設定／変更）するための入力モード（客数入力モード）から、補充設定枚数を入力（設定／変更）するための入力モード（枚数入力モード）に切り替えるためのボタンである。ボタン「客数入力」は、枚数入力モードから客数入力モードに切り替えるためのボタンである。客数入力モードでは、上述の如く、通過設定客数を１人単位で入力できる。また、枚数入力モードでは、補充設定枚数を１枚単位で入力できる。なお、客数入力モード及び枚数入力モードのうち、客数入力モードを初期モードとしてもよい。
【０１７４】
客数入力モードの場合、通過設定客数を１人単位で入力できるものの、１円硬貨等の通過設定客数対応枚数は通過設定客数×４枚であるため、処理予定の客数に応じた枚数として、４の倍数以外の枚数（例えば、５枚、３３枚等）を設定し得ない。一方、枚数入力モードの場合は、処理予定の客数に応じた枚数として補充設定枚数を１枚単位で設定することができる。
【０１７５】
また、枚数入力モードでは、処理予定の客数に応じた枚数を頭の中で計算したりする必要があるが、客数入力モードでは、通過設定客数を入力しさえすればよいので計算がいらず簡単である。また、枚数入力モードでは、金種毎に、補充設定枚数を設定／変更することができる。
【０１７６】
なお、枚数入力モードにおいて、補充設定枚数の設定／変更の対象となる金種は、選択画面（図１６等）にて指定するようにしてもよいし、設定変更画面（図２７）にて指定するようにしてもよい。選択画面にて設定／変更する金種を指定する方法としては、例えば、当該選択画面上の入金レジの現保持枚数を表示している部分（図２９の上部Ａに相当する部分）において該当する金種の欄をタッチすることによって当該金種を指定できるようにしてもよい。設定変更画面にて設定／変更する金種を指定する方法としては、例えば、当該設定変更画面上に金種指定欄などを設けることによって当該金種を指定できるようにしてもよい。
【０１７７】
図２７に示すように、通過設定客数が１０人に設定された場合、５円硬貨の通過設定客数対応枚数は１０枚、１００円硬貨の通過設定客数対応枚数は４０枚に減少する。従って、監視装置４は、上記設定後に、図２８に示すような選択画面を表示する。つまり、監視装置４は、５円硬貨を１３０枚（＝１２０枚＋１０枚）以上保持し、かつ、１００円硬貨を１６０枚（＝１２０枚＋４０枚）以上保持している、精算機２、精算機４、精算機１３を、出金可能な精算機と判断し、精算機２、精算機４に加え、新たに精算機１３に対応するボタンを選択画面に表示する。
【０１７８】
また、図２７において、５円硬貨の補充設定枚数を９枚、１００円硬貨について補充設定枚数を３８枚と設定された場合にも、監視装置４は、図２８に示すような選択画面を表示する。つまり、監視装置４は、５円硬貨を１２９枚（＝１２０枚＋９枚）以上保持し、かつ、１００円硬貨を１５８枚（＝１２０枚＋３８枚）以上保持している、精算機２、精算機４、精算機１３を、出金可能な精算機と判断し、精算機２、精算機４に加え、新たに精算機１３に対応するボタンを選択画面に表示する。
【０１７９】
このように、補充設定（通過設定客数、補充設定枚数）を小さな値にすることによって、取得先候補の数を増やし、より多くの中から精算機を選択させることができるようになる。従って、取得先候補のなかに、実際には選択できない精算機（例えば、非常に混雑している精算機等）が含まれていても、他の精算機を選択できる可能性が高くなる。
【０１８０】
従来は、売場内に設置された精算機間（精算機同士）で貨幣を融通しえないときなどは、事務所から貨幣を持ちだしたりして補充していたので、売場内のお金（貨幣の量）を圧縮することは困難であった（売場と事務所を合せた店舗のお金も当然に圧縮することは困難であった）。これに対し、上述のように補充設定を小さな値にすることによって、事務所の貨幣に頼らずに、精算機間で貨幣を融通できる頻度や可能性が高くなるので、売場内のお金を圧縮することができるようになる（売場と事務所を合せた店舗のお金も当然に圧縮することができるようになる）。つまり、事務所から補充しなくても、精算機間で、スムーズに補充することに加え、売場内のお金および店全体のお金などを圧縮することができるようになる。
【０１８１】
また、釣銭ニアエンド（釣銭ニアフルも同様）において、当該釣銭ニアエンドとなっている金種の貨幣に加えて、釣銭ニアエンドになっていない金種の貨幣についても、移動させることができる。例えば、確認画面において、釣銭ニアエンドとなっていない金種を指定し、移動枚数を入力するようにしてもよい。
【０１８２】
図２９は、貨幣の移動の状況等を確認するための確認画面の一例である。例えば、図２９の確認画面において、精算機１において近々に釣銭ニアエンドになりそうな金種である５００円硬貨が指定され、移動枚数「２０」が指定された場合には、監視装置４は、図２９に内容を表示する。図２９においてボタン「決定」が押下されたときには、認証後に、精算機２から精算機１に、５円硬貨「１５枚」、１００円硬貨「６０枚」に加えて、５００円硬貨「２０枚」を移動させる、指示レポートが発行される。即ち、監視装置４は、店員の指定等に応じて、釣銭ニアエンドとなっている金種に加えて、釣銭ニアエンドとなっていない金種も同時に移動させることができる。
【０１８３】
これにより、釣銭ニアエンドの金種の他に、釣銭ニアエンドではないものの近々に釣銭ニアエンドになりそうな金種が存在する場合には（確認画面にて確認可能）、相手側（移動元）の精算機における、当該釣銭ニアエンドになりそうな金種の現保持枚数も確認し（確認画面にて確認可能）、当該釣銭ニアエンドになりそうな金種の貨幣についても移動しても問題がなさそうなときには、釣銭ニアエンドの金種とともに釣銭ニアエンドになりそうな金種を同時に移動元から移動（補充）させることができる。なお、監視装置４は、釣銭ニアエンドの金種に加え、釣銭ニアエンドになりそうな金種も含む（混在した）、指示レシートを発行する。
【０１８４】
なお、監視装置４は、移動先である釣銭機１の現保持枚数を表示している上部Ａにおける５００円硬貨の表示領域、又は、移動元である釣銭機２の現保持枚数等を表示している左側部Ｂにおける５００円硬貨の表示領域、又は、移動先である釣銭機１の現保持枚数等を表示している右側部Ｃにおける５００円硬貨の領域の何れかの領域が押下された場合に、５００円硬貨が指定されたと判断してもよい。他の金種についても同様である。また、監視装置４は、５００円硬貨の領域が押下された場合に、移動枚数を指定する画面（例えば、図２７に示した設定変更画面のような数字ボタンが配置された画面）を表示して、店員から移動枚数の指定を受け付けるようにしてもよい。
【０１８５】
以上、図１３〜図２９を用いて、監視装置４の画面上にて貨幣を移動させる精算機等を選択し、指示レシートを印刷、発行する例を説明したが、監視装置４に代えて、ストアコントローラ３や精算機において貨幣を移動させる精算機等を選択するようにしてもよい。また、監視装置４（又は、ストアコントローラ３）にて貨幣を移動させる精算機等が選択された場合に、監視装置４（又は、ストアコントローラ３）の制御（印刷命令）に従って、精算機において指示レシートを発行してもよい。
【０１８６】
以上、本発明の実施形態等について詳述したが、具体的な構成はこの実施形態に限られるものではなく、この発明の要旨を逸脱しない範囲の設計等も含まれる。上記会計システムに関し、以下の付記を開示する。
【０１８７】
（付記１）
商品の代金を現金にて決済する釣銭釣札機を備えた会計システムにおいて、所望の金種、枚数の貨幣を前記釣銭釣札機に出金又は入金させるための情報を記録媒体に記録する記録手段と、前記記録手段によって記録媒体に記録された前記出金又は入金させるための情報を読み取る読取手段と、前記読取手段によって読み取られた前記出金又は入金させるための情報に基づいて、前記所望の金種、枚数の貨幣を前記釣銭釣札機に出金又は入金させる制御を行う制御手段とを備えることを特徴とする会計システム。
（付記２）
前記出金又は入金の情報は、出金又は入金の処理区分、出金又は入金する装置を識別する装置識別情報、金種及び枚数を含むことを特徴とする付記１記載の会計システム。
（付記３）
前記記録手段は、前記出金させるための情報と、前記入金させるための情報とを１枚の前記記録媒体に記録することを特徴とする付記１又は付記２記載の会計システム。
（付記４）
他の前記釣銭釣札機に入金するための貨幣を出金可能な釣銭釣札機、又は、他の前記釣銭釣札機から出金された貨幣を入金可能な釣銭釣札機に関する情報を表示する表示手段と、前記出金可能な釣銭釣札機、又は、前記入金可能な釣銭釣札機を指定するための入力を受け付ける機器指定手段と、を更に備え、前記記録手段は、前記機器指定手段によって指定された前記釣銭釣札機と前記他の前記釣銭釣札機との間における入出金情報を前記記録媒体に記録することを特徴とする付記１乃至付記３の何れかに記載の会計システム。
（付記５）
前記記録手段は、
前記釣銭釣札機以外が指定された場合には前記記録媒体にサイン領域を印刷する一方、前記釣銭釣札機が指定された場合には前記サイン領域を印刷しないことを特徴とする付記１乃至付記４の何れかに記載の会計システム。
【０１８８】
（付記６）
前記釣銭釣札機に貨幣を入金させるための情報に基づく指示金額と、当該釣銭釣札機に実際に入金された入金金額とが異なる場合に、金額が異なる旨のメッセージの表示領域と所定のボタンとを配置したエラー画面（例えば、図２３（ｂ）の画面）を表示するエラー報知手段と、前記指示金額に関係なく前記入金金額に従って入金を完了させる強制入金手段とを更に備え、前記エラー報知手段は、前記エラー画面に配置された前記ボタンが押下された場合には、前記入金金額に従って入金を完了させる理由を入力又は選択する領域を配置した理由入力画面（例えば、図２３（ｃ）や図２３（ｄ）の画面）を表示し、前記強制入金手段は、前記理由入力画面に配置された前記領域において前記理由が入力又は選択されたことを条件に前記入金金額に従って入金を完了させることを特徴とする付記１乃至付記５の何れかに記載の会計システム。
上記会計システムによれば、エラーがあっても、適切な場合には処理を進行させることができる。また、エラーがあった旨やエラー内容（理由）を管理することができる。
（付記７）
貨幣の金種を指定する金種指定手段を更に備え、前記記録手段は、前記金種指定手段によって所定の報知枚数に至った金種以外の金種が指定された場合には、所定の報知枚数に至った金種の貨幣に加え、前記金種指定手段によって指定された金種の貨幣を出金又は入金させるための情報を前記記録媒体に記録することを特徴とする付記１乃至付記６の何れかに記載の会計システム。
（付記８）
操作者を識別する識別情報を含むコード情報を読み取らせるためのメッセージの報知領域と所定のボタンとを配置した第１承認画面（例えば、図１９（ａ）の画面）を表示し、前記コード情報から得られる前記識別情報に基づいて、前記記録手段による前記記録媒体への記録を承認する承認手段を更に備え、前記承認手段は、前記コード情報から前記識別情報を得る前に前記第１承認画面に配置された前記ボタンが押下された場合には、所定の入力領域を配置した第２承認画面（例えば、図１９（ｂ）の画面）を表示し、前記第２承認画面に配置された前記入力領域に入力された前記識別情報と前記パスワードに基づいて、前記記録手段による前記記録媒体への記録を承認することを特徴とする付記１乃至付記７の何れかに記載の会計システム。
上記会計システムによれば、入出金におけるセキュリティーを高めることができる。また、操作者がコード情報を読み取らせることができない場合でも、セキュリティーを確保した上で柔軟に処理を進めることができる。
（付記９）
他の前記釣銭釣札機に入金するための貨幣を出金可能な釣銭釣札機、又は、他の前記釣銭釣札機から出金された貨幣を入金可能な釣銭釣札機に関する情報を表示する表示手段と、前記出金可能な釣銭釣札機、又は、前記入金可能な釣銭釣札機を指定するための入力を受け付ける機器指定手段とを更に備え、前記記録手段は、前記機器指定手段によって指定された前記釣銭釣札機と前記他の前記釣銭釣札機との間における入出金情報を前記記録媒体に記録することを特徴とする付記１乃至付記８の何れかに記載の会計システム。
上記会計システムによれば、指定された釣銭釣札機において、好適に、入出金を行うことができる。
（付記１０）
前記機器指定手段は、前記出金可能な釣銭釣札機、又は、前記入金可能な釣銭釣札機が２以上ある場合、当該２以上の前記釣銭釣札機に関する情報を、貨幣の現収納枚数に応じた優先順位に従って表示することを特徴とする付記９記載の会計システム。
上記会計システムによれば、２以上の釣銭釣札機に関する情報が見易くなる。
（付記１１）
前記機器指定手段は、所定の余剰金設定枚数と、所定の処理予定客数と、各釣銭釣札機における現在の収納枚数とに基づいて、前記出金可能な釣銭釣札機の候補、又は、前記入金可能な釣銭釣札機の候補を特定することを特徴とする付記９又は付記１０に記載の会計システム。
上記会計システムによれば、所定の余剰金設定枚数と、所定の処理予定客数（通過設定客数）と、各釣銭釣札機における現在の収納枚数（現保持枚数）とに基づいて、好適に、出金可能な釣銭釣札機の候補（釣銭ニアエンドの解消時における取得先候補）や、入金可能な釣銭釣札機の候補（釣銭ニアフルの解消時における出金先候補）が特定される。
（付記１２）
前記機器指定手段は、前記処理予定客数に変更があった場合には、変更後の前記処理予定客数に基づいて、前記出金可能な釣銭釣札機の候補、又は、前記入金可能な釣銭釣札機の候補を特定することを特徴とする付記１１記載の会計システム。
上記会計システムによれば、例えば、処理予定客数を減少させることによって、出金可能な釣銭釣札機の候補数や、入金可能な釣銭釣札機の候補数を増加させることができる。従って、事務所から貨幣を持ちだしたりしなくても、釣銭釣札機同士における貨幣の融通がなされ易くなるので、売場の貨幣の量を圧縮させることができる。
（付記１３）
前記機器指定手段は、所定の余剰金設定枚数と、処理予定客数に応じた基準枚数と、各釣銭釣札機における現在の収納枚数とに基づいて、前記出金可能な釣銭釣札機の候補、又は、前記入金可能な釣銭釣札機の候補を特定することを特徴とする付記９又は付記１０に記載の会計システム。
上記会計システムによれば、所定の余剰金設定枚数と、処理予定客数に応じた基準枚数（補充設定枚数）と、各釣銭釣札機における現在の収納枚数（現保持枚数）とに基づいて、好適に、出金可能な釣銭釣札機の候補や、入金可能な釣銭釣札機の候補が特定される。
（付記１４）
前記機器指定手段は、前記処理予定客数に応じた基準枚数に変更があった場合には、変更後の前記処理予定客数に基づいて、前記出金可能な釣銭釣札機の候補、又は、前記入金可能な釣銭釣札機の候補を特定することを特徴とする付記１３記載の会計システム。
上記会計システムによれば、例えば、処理予定客数に応じた基準枚数を減少させることによって、出金可能な釣銭釣札機の候補数や、入金可能な釣銭釣札機の候補数を増加させることができる。従って、事務所から貨幣を持ちだしたりしなくても、釣銭釣札機同士における貨幣の融通がなされ易くなるので、売場の貨幣の量を圧縮させることができる。
（付記１５）
前記機器指定手段は、前記釣銭釣札機以外の指定も可能であって、前記記録手段は、前記釣銭釣札機が指定された場合と前記釣銭釣札機以外が指定された場合とで異なる情報を前記記録媒体に記録することを特徴とする付記９乃至付記１４の何れかに記載の会計システム。
上記会計システムによれば、必要に応じて釣銭釣札機以外（事務所など）を指定することができる。また、記録媒体を見れば、釣銭釣札機以外が指定された旨を確認することができる。
（付記１６）
前記記録手段は、前記釣銭釣札機以外が指定された場合には前記記録媒体にサイン領域を印刷する一方、前記釣銭釣札機が指定された場合には前記サイン領域を印刷しないことを特徴とする付記１５記載の会計システム。
上記会計システムによれば、事務所などを入出金先とする場合には責任者の確認が必要である旨を操作者に確実に認識させることができる。
【０１８９】
（付記１７）
商品の代金を現金にて決済する釣銭釣札機を備えた会計装置において、所望の金種、枚数の貨幣を前記釣銭釣札機に出金又は入金させるための情報を記録媒体に記録する記録手段を備えることを特徴とする会計装置。
（付記１８）
前記記録手段によって記録媒体に記録された前記出金又は入金させるための情報を読み取る読取手段と、前記読取手段によって読み取られた前記出金又は入金させるための情報に基づいて、前記所望の金種、枚数の貨幣を前記釣銭釣札機に出金又は入金させる制御を行う制御手段とを備えることを特徴とする付記１７記載の会計装置。
【０１９０】
（付記１９）
所望の金種、枚数の貨幣を釣銭釣札機に出金又は入金させるための情報を記録媒体に記録する記録手段を備えることを特徴とする管理装置。
（付記２０）
貨幣の金種を指定する金種指定手段を更に備え、前記記録手段は、前記金種指定手段によって所定の報知枚数に至った金種以外の金種が指定された場合には、所定の報知枚数に至った金種の貨幣に加え、前記金種指定手段によって指定された金種の貨幣を出金又は入金させるための情報を記録媒体に記録することを特徴とする付記１９記載の管理装置。
（付記２１）
他の前記釣銭釣札機に入金するための貨幣を出金可能な釣銭釣札機、又は、他の前記釣銭釣札機から出金された貨幣を入金可能な釣銭釣札機に関する情報を表示する表示手段と、前記出金可能な釣銭釣札機、又は、前記入金可能な釣銭釣札機を指定するための入力を受け付ける機器指定手段と、を更に備え、前記記録手段は、前記機器指定手段によって指定された前記釣銭釣札機と前記他の前記釣銭釣札機との間における入出金情報を前記記録媒体に記録することを特徴とする付記１９又は付記２０に記載の管理装置。
（付記２２）
前記機器指定手段は、前記出金可能な釣銭釣札機、又は、前記入金可能な釣銭釣札機が２以上ある場合、当該２以上の前記釣銭釣札機に関する情報を、貨幣の現収納枚数に応じた優先順位に従って表示することを付記２１記載の管理装置。
上記管理装置によれば、上記会計システムと同様の効果を得ることができる。
（付記２３）
前記機器指定手段は、所定の余剰金設定枚数と、所定の処理予定客数と、各釣銭釣札機における現在の収納枚数とに基づいて、前記出金可能な釣銭釣札機の候補、又は、前記入金可能な釣銭釣札機の候補を特定することを特徴とする付記２１又は付記２２に記載の管理装置。
上記管理装置によれば、上記会計システムと同様の効果を得ることができる。
（付記２４）
前記機器指定手段は、前記処理予定客数に変更があった場合には、変更後の前記処理予定客数に基づいて、前記出金可能な釣銭釣札機の候補、又は、前記入金可能な釣銭釣札機の候補を特定することを特徴とする付記２３に記載の管理装置。
上記管理装置によれば、上記会計システムと同様の効果を得ることができる。
（付記２５）
前記機器指定手段は、所定の余剰金設定枚数と、処理予定客数に応じた基準枚数と、各釣銭釣札機における現在の収納枚数とに基づいて、前記出金可能な釣銭釣札機の候補、又は、前記入金可能な釣銭釣札機の候補を特定することを特徴とする付記２１又は付記２２に記載の管理装置。
上記管理装置によれば、上記会計システムと同様の効果を得ることができる。
（付記２６）
前記機器指定手段は、前記処理予定客数に応じた基準枚数に変更があった場合には、変更後の前記処理予定客数に基づいて、前記出金可能な釣銭釣札機の候補、又は、前記入金可能な釣銭釣札機の候補を特定することを特徴とする付記２５記載の管理装置。
上記管理装置によれば、上記会計システムと同様の効果を得ることができる。
（付記２７）
前記機器指定手段は、前記釣銭釣札機以外の指定も可能であって、前記記録手段は、前記釣銭釣札機が指定された場合と前記釣銭釣札機以外が指定された場合とで異なる情報を前記記録媒体に記録することを特徴とする付記２１乃至付記２６の何れかに記載の管理装置。
上記管理装置によれば、上記会計システムと同様の効果を得ることができる。
（付記２８）
前記記録手段は、前記釣銭釣札機以外が指定された場合には前記記録媒体にサイン領域を印刷する一方、前記釣銭釣札機が指定された場合には前記サイン領域を印刷しないことを特徴とする付記１９乃至付記２７の何れかに記載の管理装置。
（付記２９）
商品の代金を現金にて決済する釣銭釣札機を備えた会計システムにおいて、所望の金種、枚数の貨幣を前記釣銭釣札機に出金又は入金させる情報を記録媒体に記録する記録手段と、前記記録手段により記録された出金又は入金の情報を読み取る読取手段と、前記読取手段により読み取られた前記出金又は入金の情報に基づいて、前記所望の金種、枚数の貨幣を前記釣銭釣札機に出金又は入金させる制御を行う制御手段と、を備えることを特徴とする会計システム。
上記会計システムによれば、上記会計システムと同様の効果を得ることができる。
（付記３０）
前記入金の情報は、前記所望の金種の貨幣が規定の枚数（残置基準枚数）を超えて収納されている釣銭釣札機を内蔵等している会計装置において前記記録媒体に記録されることを特徴とする付記２９に記載の会計システム。
上記会計システムによれば、貨幣を出金する釣銭釣札機を内蔵等している会計装置（例えば、貨幣を出金する釣銭釣札機を内蔵等しているＰＯＳレジスタ２、あるいは、登録装置と会計装置とを別体として備える構成において貨幣を出金する釣銭釣札機を内蔵等している会計装置において記録媒体に入金の情報が記録されるので、離れた場所に記録媒体を取りに行く必要がなくなり、店員の手間や時間が軽減する。
【０１９１】
なお、本実施形態のＰＯＳシステム１（又はＰＯＳレジスタ２、登録装置、会計装置、券売機、監視装置４）の各処理を実行するためのプログラムをコンピュータ読み取り可能な記録媒体に記録して、当該記録媒体に記録されたプログラムをコンピュータシステムに読み込ませ、実行することにより、ＰＯＳシステム１（又はＰＯＳレジスタ２、登録装置、会計装置、券売機、監視装置４）の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１９２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であってもよい。
【０１９３】
以上、この発明の実施形態について図面を参照して詳述してきたが、具体的な構成はこの実施形態に限られるものではなく、この発明の要旨を逸脱しない範囲の設計等も含まれる。
【符号の説明】
【０１９４】
１…ＰＯＳシステム
２…ＰＯＳレジスタ
３…ストアコントローラ
４…監視装置
１１…ＣＰＵ
１２…ＲＯＭ
１３…ＲＡＭ
１４…店員用表示部
１５…操作部
１６…客用表示部
１７…自動釣銭釣札機
１７ａ…硬貨放出口
１７ｂ…硬貨投入口
１８…スキャナ部
１９…印刷部
２０…通信部
２１…撮像部
３０…収納部
【図１】
2020119616.tif 000003
【図２】
2020119616.tif 000004
【図３】
2020119616.tif 000005
【図４】
2020119616.tif 000006
【図５】
2020119616.tif 000007
【図６】
2020119616.tif 000008
【図７】
2020119616.tif 000009
【図８】
2020119616.tif 000010
【図９】
2020119616.tif 000011
【図１０】
2020119616.tif 000012
【図１１】
2020119616.tif 000013
【図１２】
2020119616.tif 000014
【図１３】
2020119616.tif 000015
【図１４】
2020119616.tif 000016
【図１５】
2020119616.tif 000017
【図１６】
2020119616.tif 000018
【図１７】
2020119616.tif 000019
【図１８】
2020119616.tif 000020
【図１９】
2020119616.tif 000021
【図２０】
2020119616.tif 000022
【図２１】
2020119616.tif 000023
【図２２】
2020119616.tif 000024
【図２３】
2020119616.tif 000025
【図２４】
2020119616.tif 000026
【図２５】
2020119616.tif 000027
【図２６】
2020119616.tif 000028
【図２７】
2020119616.tif 000029
【図２８】
2020119616.tif 000030
【図２９】
2020119616.tif 000031